(57)【要約】無線アクセスネットワーク（ＲＡＮ１）における無線ネットワークノード（１２）およびそのページングポリシーの差別化（ＰＰＤ）のための方法。無線ネットワークノードは、コアネットワーク（ＣＮ１）から、無線デバイス（１０）に関連付けられたダウンリンク（ＤＬ）プロトコルデータユニット（ＰＤＵ）を受信する。ＤＬ ＰＤＵは、サービス品質（ＱｏＳ）フローに含まれ、それぞれのサービスから発信され、それぞれのサービスに関連付けられたページングポリシーインジケータ（ＰＰＩ）を含む。無線ネットワークノードは、セントラルユニットユーザプレーン（ＣＵ−ＵＰ）によってＰＰＩを抽出する（１２ｂ）。ＣＵ−ＵＰ（１２ｂ）によって、無線ネットワークノードはセントラルユニット制御プレーン（ＣＵ−ＣＰ）（１２ａ）にＰＰＩを通知する。さらに、ＣＵ−ＣＰによって、無線ネットワークノードは、無線デバイスのページングをトリガする。さらに、無線ネットワークノードは、それぞれのサービスに関連するＰＰＩに従って無線デバイス（１０）をページングする。
2021528895.tif 000002
【特許請求の範囲】
【請求項１】
ページングポリシーの差別化（ＰＰＤ）のための、無線ネットワークノード（１２）によって実行される方法であって、前記無線ネットワークノード（１２）は無線アクセスネットワーク（ＲＡＮ１）に含まれ、前記方法は、
−  コアネットワーク（ＣＮ１）から、無線デバイス（１０）に関連付けられたダウンリンク（ＤＬ）プロトコルデータユニット（ＰＤＵ）を受信すること（Ｓ４１０）であって、前記ＤＬ ＰＤＵは、サービス品質（ＱｏＳ）フローに含まれ、前記ＤＬ ＰＤＵは、それぞれのサービスから発信されるものであり、前記ＤＬ ＰＤＵは、前記それぞれのサービスに関連付けられたページングポリシーインジケータ（ＰＰＩ）を含む、ことと、
−  前記無線ネットワークノード（１２）のセントラルユニットユーザプレーン（ＣＵ−ＵＰ）（１２ｂ）により前記ＰＰＩを抽出すること（Ｓ４２０）と、
−  前記ＣＵ−ＵＰ（１２ｂ）によって、前記無線ネットワークノード（１２）のセントラルユニット制御プレーン（ＣＵ−ＣＰ）（１２ａ）へ、前記ＰＰＩについて通知すること（Ｓ４３０）と、
−  前記ＣＵ−ＣＰ（１２ａ）を使用して、前記無線デバイス（１０）のページングをトリガすること（Ｓ４４０）と、
−  前記それぞれのサービスに関連する前記ＰＰＩに従って前記無線デバイス（１０）をページングすること（Ｓ４５０）と、を有する方法
【請求項２】
請求項１記載の方法であって、さらに、
−  Ｅ１インターフェースを介して、ＤＬデータ通知メッセージを用いて、前記ＰＰＩを前記ＣＵ−ＣＰ（１２ａ）に通知すること、を有し、前記通知することは、前記ＣＵ−ＵＰ（１２ａ）によって実行される、方法。
【請求項３】
先の請求項のいずれかに記載の方法であって、さらに、
−  前記無線ネットワークノード（１２）の前記ＣＵ−ＵＰ（１２ｂ）によって、新世代ユーザプレーン（ＮＧ−Ｕ）インターフェースを介して、前記をコアネットワーク（ＣＮ１）におけるユーザプレーン機能（ＵＰＦ）（１５）から前記ＤＬ ＰＤＵを受信すること、を有する方法。
【請求項４】
ページングポリシーの差別化（ＰＰＤ）のための、ユーザプレーン機能（ＵＰＦ）（１５）によって実行される方法であって、前記方法は、
−  無線アクセスネットワーク（ＲＡＮ１）内にある無線ネットワークノード（１２）に、無線デバイス（１０）に関連付けられたダウンリンク（ＤＬ）プロトコルデータユニット（ＰＤＵ）を送信すること（Ｓ５２０）を有し、前記ＤＬ ＰＤＵはサービス品質（ＱｏＳ）フローに含まれており、前記ＤＬ ＰＤＵはそれぞれのサービスから発信されたものであり、前記ＤＬ ＰＤＵは前記それぞれのサービスに関連付けられたページングポリシーインジケータ（ＰＰＩ）を含む、方法。
【請求項５】
請求項４に記載の方法であって、さらに、
−  新世代ユーザプレーン（ＮＧ−Ｕ）インターフェースを介して、前記ＤＬ ＰＤＵを、前記無線ネットワークノード（１２）のセントラルユニットユーザプレーン（ＣＵ−ＵＰ）（１２ｂ）に送信すること、を有する方法。
【請求項６】
ページングポリシーの差別化（ＰＰＤ）のための無線ネットワークノード（１２）であって、前記無線ネットワークノード（１２）は、無線アクセスネットワーク（ＲＡＮ１）に含まれるように構成されており、
−  コアネットワーク（ＣＮ１）から、無線デバイス（１０）に関連付けられたダウンリンク（ＤＬ）プロトコルデータユニット（ＰＤＵ）を受信し、前記ＤＬ ＰＤＵはサービス品質（ＱｏＳ）フローに含まれ、前記ＤＬ ＰＤＵはそれぞれのサービスから発信されたものであり、前記ＤＬ ＰＤＵは前記それぞれのサービスに関連付けられたページングポリシーインジケータ（ＰＰＩ）を含み、
−  前記無線ネットワークノード（１２）のセントラルユニットユーザプレーン（ＣＵ−ＵＰ）（１２ｂ）によって前記ＰＰＩを抽出し、
−  前記ＣＵ−ＵＰ（１２ｂ）によって、前記無線ネットワークノード（１２）のセントラルユニット制御プレーン（ＣＵ−ＣＰ）（１２ａ）に、前記ＰＰＩを通知し、
−  前記ＣＵ−ＣＰ（１２ａ）を使用して、前記無線デバイス（１０）のページングをトリガし、
−  前記それぞれのサービスに関連付けられた前記ＰＰＩに従って前記無線デバイス（１０）のページングを実行する、ように構成されている、無線ネットワークノード。
【請求項７】
請求項６に記載の無線ネットワークノード（１２）であって、前記無線ネットワークノード（１２）は、さらに、
−  前記ＣＵ−ＵＰ（１２ｂ）によって、Ｅ１インターフェースを介して、ＤＬデータ通知メッセージを使用して、前記ＰＰＩを前記ＣＵ−ＣＰ（１２ａ）に通知する、ように構成されている、無線ネットワークノード。
【請求項８】
請求項６から７のいずれか一項に記載の無線ネットワークノード（１２）であって、前記無線ネットワークノード（１２）は、さらに、
−  前記無線ネットワークノード（１２ｂ）のセントラルユニットユーザプレーン（ＣＵ−ＵＰ）（１２ｂ）によって、新世代ユーザプレーン（ＮＧ−Ｕ）インターフェースを介して、前記コアネットワーク（ＣＮ１）におけるユーザプレーン機能（ＵＰＦ）（１５）から前記ＤＬ ＰＤＵを受信する、ように構成されている、無線ネットワークノード。
【請求項９】
ページングポリシーの差別化（ＰＰＤ）のためのユーザプレーン機能（ＵＰＦ）（１５）であって、前記ＵＰＦ（１５）はコアネットワーク（ＣＮ１）に含まれるように構成され、前記ＵＰＦ（１５）は、
−  無線アクセスネットワーク（ＲＡＮ１）内にある無線ネットワークノード（１２）に、無線デバイス（１０）に関連付けられたダウンリンク（ＤＬ）プロトコルデータユニット（ＰＤＵ）を送信するように構成されており、前記ＤＬ ＰＤＵはサービス品質（ＱｏＳ）フローに含まれ、前記ＤＬ ＰＤＵはそれぞれのサービスから発信されるものであり、前記ＤＬ ＰＤＵは前記それぞれのサービスに関連付けられたページングポリシーインジケータ（ＰＰＩ）を含む、ＵＰＦ。
【請求項１０】
請求項９に記載のＵＰＦ（１５）であって、前記ＵＰＦ（１５）は、さらに、
−  前記ＤＬ ＰＤＵを、新世代ユーザプレーン（ＮＧ−Ｕ）インターフェースを介して、前記無線ネットワークノード（１２）のセントラルユニットユーザプレーン（ＣＵ−ＵＰ）（１２ｂ）に送信する、ように構成されている、ＵＰＦ。
【請求項１１】
少なくとも１つのプロセッサ上で実行されると、少なくとも１つのプロセッサに、無線ネットワークノード（１２）によって実行されるような請求項１から４のいずれかのステップのいずれかを実行させるか、またはＵＰＦ（１５）によって実行されるような請求項５〜６のいずれかのステップのいずれかを実行させる命令を含むコンピュータプログラムプロダクト。
【請求項１２】
少なくとも１つのプロセッサ上で実行されたときに、前記少なくとも１つのプロセッサに、前記無線ネットワークノード（１２）によって実行されるように請求項１から４のいずれか一項におけるステップのいずれかを実行させるか、または、前記ＵＰＦ（１５）によって実行されるように請求項５から６のいずれかにおけるステップのいずれかを実行させる命令を含むコンピュータプログラムプロダクトを記憶したコンピュータ可読記憶媒体。
【請求項１３】
プロセッシング回路を含む無線ネットワークノード（１２）であって、前記プロセッシング回路は、
−  コアネットワーク（ＣＮ）から、無線デバイス（１０）に関連付けられたダウンリンク（ＤＬ）プロトコルデータユニット（ＰＤＵ）を受信し、前記ＤＬ ＰＤＵは、サービス品質（ＱｏＳ）フローに含まれており、前記ＤＬ ＰＤＵは、それぞれのサービスから発信されるものであり、前記ＤＬ ＰＤＵは、前記それぞれのサービスに関連するページングポリシーインジケータ（ＰＰＩ）を含み、
−  前記それぞれのサービスに関連する前記ＰＰＩに従って、前記無線デバイスのページングを実行する、ように構成されている、無線ネットワークノード（１２）。
【請求項１４】
プロセッシング回路を含むユーザプレーン機能（ＵＰＦ）であって、前記プロセッシング回路は、
−  無線アクセスネットワーク（ＲＡＮ１）にある無線ネットワークノード（１２）に、無線デバイス（１０）に関連付けられたダウンリンク（ＤＬ）プロトコルデータユニット（ＰＤＵ）を送信するように構成されており、前記ＤＬ ＰＤＵはサービス品質（ＱｏＳ）フローに含まれており、前記ＤＬ ＰＤＵはそれぞれのサービスから発信されるものであり、前記ＤＬ ＰＤＵは前記それぞれのサービスに関連付けられたページングポリシーインジケータ（ＰＰＩ）を含む、ＵＰＦ。
【発明の詳細な説明】
【技術分野】
【０００１】
本明細書の実施形態は、無線ネットワークノード、ユーザプレーン機能（ＵＰＦ）、およびその中で実行される方法に関する。さらに、本明細書では、コンピュータプログラムプロダクトおよびコンピュータ可読記憶媒体も提供される。特に、本明細書の実施形態は、ページングポリシーの差別化（ＰＤＤ）に関する。
【背景技術】
【０００２】
典型的な無線通信ネットワークでは、無線通信装置、移動局、ステーション（ＳＴＡ）および／またはユーザ装置（ＵＥ）とも呼ばれる無線デバイスは、無線アクセスネットワーク（ＲＡＮ）を介して１つ以上のコアネットワーク（ＣＮ）と通信する。ＲＡＮは、サービスエリアまたはセルに分割された地理的領域をカバーし、各サービスエリアまたはセルは、無線アクセスノード、たとえばＷｉ−Ｆｉアクセスポイントまたは無線基地局（ＲＢＳ）などの無線ネットワークノードによってサービスを提供され、一部のネットワークでは、たとえば、「ＮｏｄｅＢ」（ＮＢ）または「ｅＮｏｄｅＢ」（ｅＮＢ）、「ｇＮｏｄｅＢ」（ｇＮＢ）と表記される場合がある。サービスエリアまたはセルは、無線ネットワークノードによって無線カバレッジが提供される地理的領域である。無線ネットワークノードは、無線周波数で動作するエアインターフェースを介して、無線ネットワークノードの範囲内の無線デバイスと通信する。
【０００３】
ユニバーサル移動通信システム（ＵＭＴＳ）は、第２世代（２Ｇ）移動通信のためのグローバルシステム（ＧＳＭ）から発展した第３世代（３Ｇ）通信ネットワークである。ＵＭＴＳ地上無線アクセスネットワーク（ＵＴＲＡＮ）は、本質的に、無線デバイスのための広帯域符号分割多元接続（ＷＣＤＭＡ）および／または高速パケットアクセス（ＨＳＰＡ）を用いたＲＡＮである。第３世代パートナーシッププロジェクト（３ＧＰＰ）として知られるフォーラムにおいて、通信サプライヤーは、第３世代ネットワークの規格を提案して、合意したが、向上したデータ速度および無線キャパシティをさらに追求している。いくつかのＲＡＮにおいて、たとえばＵＭＴＳにおけるように、いくつかの無線ネットワークノードは、たとえば地上回線またはマイクロ波によって、無線ネットワークコントローラ（ＲＮＣ）または基地局コントローラ（ＢＳＣ）のようなコントローラノードに接続されてもよく、それは、それに接続された複数の無線ネットワークノードの様々なアクティビティを監督し、調整する。この種のコネクションは、しばしばバックホールコネクションと呼ばれることがある。ＲＮＣおよびＢＳＣは、通常、１つまたは複数のコアネットワークに接続される。
【０００４】
第４世代（４Ｇ）ネットワークとも呼ばれる進化型パケットシステム（ＥＰＳ）の規格は、３ＧＰＰ（第３世代パートナーシッププロジェクト）内で完了しており、この作業は、たとえば、第５世代（５Ｇ）ネットワークを策定するために、今後の３ＧＰＰリリースにおいて継続される。ＥＰＳは、ロングタームエボリューション（ＬＴＥ）無線アクセスネットワークとも呼ばれる進化したユニバーサル地上無線アクセスネットワーク（Ｅ−ＵＴＲＡＮ）と、システムアーキテクチャエボリューション（ＳＡＥ）コアネットワークとも呼ばれる進化したパケットコア（ＥＰＣ）と、で構成される。Ｅ−ＵＴＲＡＮ／ＬＴＥは、３ＧＰＰ無線アクセスネットワークの変形であり、無線ネットワークノードがＲＮＣではなくＥＰＣコアネットワークに直接的に接続される。通常、Ｅ−ＵＴＲＡＮ／ＬＴＥでは、ＲＮＣの機能は、無線ネットワークノード、たとえばＬＴＥのｅＮｏｄｅＢとコアネットワークとの間で分配される。したがって、ＥＰＳのＲＡＮは、１つまたは複数のコアネットワークに直接的に接続された、すなわち、ＲＮＣに接続されていない無線ネットワークノードを含む、本質的に「フラット」なアーキテクチャを有する。これを補うために、Ｅ−ＵＴＲＡＮ規格では無線ネットワークノード間の直接インターフェースが定義されており、このインターフェースはＸ２インターフェースと表記される。ＥＰＳは、進化した３ＧＰＰパケット交換ドメインである。新世代無線（ＮＲ）は、３ＧＰＰにおいて標準化されている新しい無線アクセス技術である。
【０００５】
新世代無線アクセスネットワーク（ＮＧ−ＲＡＮ）アーキテクチャ
ＮＧ−ＲＡＮは、第５世代無線アクセスネットワーク（５Ｇ ＲＡＮ）とも呼ばれる。現在の５Ｇ ＲＡＮ、すなわちＮＧ−ＲＡＮアーキテクチャは、３ＧＰＰ ＴＳ ３８．４０１に記載されている。
【０００６】
ＮＧアーキテクチャは、以下のようにさらに説明することができる：
−  ＮＧ−ＲＡＮは、新世代（ＮＧ）インターフェースを介して５世代コアネットワーク（５ＧＣ）とも呼ばれる新世代コアネットワーク（ＮＧＣ）に接続された１セットのｇＮＢを含む。
【０００７】
−  ｇＮＢは、周波数分割デュープレックス（ＦＤＤ）モード運用、時分割デュープレックス（ＴＤＤ）モード運用、またはデュアルモード運用をサポートすることができる。
【０００８】
−  ｇＮＢは、Ｘｎ制御プレーン（Ｘｎ−Ｃ）インターフェースおよびＸｎユーザプレーン（Ｘｎ−Ｕ）インターフェースを含むことができるＸｎインターフェースを介して相互接続することができる。
【０００９】
−  ｇＮＢは、ｇＮＢセントラルユニット（ＣＵ）（ｇＮＢ−ＣＵ）およびｇＮＢ分散ユニット（ＤＵ）（ｇＮＢ−ＤＵ）を含むことができる。
【００１０】
−  ｇＮＢ−ＣＵとｇＮＢ−ＤＵは、Ｆ１論理インターフェースを介して接続される。
【００１１】
−１つのｇＮＢ−ＤＵは、１つのｇＮＢ−ＣＵにのみ接続される。
【００１２】
ＮＧ、Ｘｎ、Ｆ１は論理インターフェースである。ＮＧ−ＲＡＮの場合、ｇＮＢ−ＣＵとｇＮＢ−ＤＵを含むｇＮＢ用のＮＧインターフェースとＸｎ−Ｃインターフェースは、ｇＮＢ−ＣＵで終端する。Ｅ−ＵＴＲＡ−ＮＲでのデュアルコネクティビティ（ＥＮ−ＤＣ）の場合、ｇＮＢのためのＳ１ユーザプレーン（Ｓ１−Ｕ）およびＸ２制御プレーン（Ｘ２−Ｃ）インターフェースは、ｇＮＢ−ＣＵで終端する。ｇＮＢ−ＣＵおよび接続されたｇＮＢ−ＤＵは、ｇＮＢとして他のｇＮＢおよび５ＧＣにのみ見える。
【００１３】
ＮＧ−ＲＡＮは、無線ネットワークレイヤ（ＲＮＬ）とトランスポートネットワークレイヤ（ＴＮＬ）に階層化されている。ＮＧ−ＲＡＮアーキテクチャ、すなわちＮＧ−ＲＡＮ論理ノードとそれらの間のインターフェースは、ＲＮＬの一部として定義される。各ＮＧ−ＲＡＮインターフェース、たとえばＮＧ、Ｘｎ、Ｆ１インターフェースごとに、関連するＴＮＬプロトコルと機能が規定される。ＴＮＬは、ユーザプレーントランスポートおよびシグナリングトランスポートのためのサービスを提供する。ＮＧ−Ｆｌｅｘコンフィギュレーション（構成）では、各ｇＮＢ はＡＭＦ領域内のすべてのアクセスおよびモビリティ機能（ＡＭＦ）に接続される。ＡＭＦ領域は、３ＧＰＰ ＴＳ ２３．５０１で定義されている。
【００１４】
Ｆ１インターフェース規格の一般原則は以下の通りである：
−  Ｆ１インターフェースがオープンであること；
−  Ｆ１インターフェースはエンドポイント間のシグナリング情報の交換をサポートし、それに加えて、Ｆ１インターフェースは各エンドポイントへのデータ送信をサポートする場合がある；
−  論理的な観点からは、Ｆ１インターフェースはエンドポイント間のポイントツーポイントインターフェースである。エンドポイント間に物理的な直接コネクションがない場合でも、ポイントツーポイント論理インターフェースは実現可能でなければならない；
−  Ｆ１インターフェースは、それぞれＦ１−ＣおよびＦ１−Ｕインターフェースを介して、制御プレーンおよびユーザプレーンセパレーションをサポートする；
−  Ｆ１インターフェースは、無線ネットワークレイヤーとトランスポートネットワークレイヤーとを分離する；
−  Ｆ１インターフェースは、ＵＥ関連情報および非ＵＥ関連情報の交換を可能にする；
−  Ｆ１インターフェースは、様々な新しい要件を満たし、新しいサービスおよび新しい機能をサポートするための将来の約束事であると定義される；
−  １つのｇＮＢ−ＣＵと、複数のｇＮＢ−ＤＵのセットとは、ｇＮＢなどの他の論理ノードから認識可能とされる。ｇＮＢ は、Ｘ２、Ｘｎ、ＮＧ、およびＳ１−Ｕインターフェースを終端する；
−ＣＵは、制御プレーン（ＣＰ）およびユーザプレーン（ＵＰ）において分離され得る。
【００１５】
３ＧＰＰ ＲＡＮワーキンググループ３（ＷＧ３）は、ｇＮＢのスプリット（分離）型アーキテクチャについて標準化作業を開始し、このスプリット型アーキテクチャは、ＣＵの制御プレーン（ＣＵ−ＣＰ）とユーザプレーン（ＣＵ−ＵＰ）との間の新しいオープンインターフェースを含む。関連する合意は、３ＧＰＰ ＴＲ ３８．８０６文書に収集されている。ＣＵ−ＣＰとＣＵ−ＵＰ間のオープンインターフェースは、Ｅ１、すなわちＥ１インターフェースと呼ばれる。スプリットアーキテクチャを図２に示す。
【００１６】
ｇＮＢのスプリット型アーキテクチャのための３つの配備シナリオは、３ＧＰＰ ＴＲ ３８．８０６規格書に示されている：
−  シナリオ１：  ＣＵ−ＣＰとＣＵ−ＵＰを集中化；
−  シナリオ２：  ＣＵ−ＣＰは分散化されるが、ＣＵ−ＵＰは集中化される；
−  シナリオ３：  ＣＵ−ＣＰは集中化されるが、ＣＵ−ＵＰは分散化される。
【００１７】
Ｅ１アプリケーションプロトコル（Ｅ１ＡＰ）は、３ＧＰＰ ＴＳ ３８．４６３規格書において規定されている。Ｅ１ＡＰは、Ｅ１インターフェースを介してＵＥにユーザプレーンサービスを提供するために、ＣＵ−ＣＰとＣＵ−ＵＰの間で交換されるメッセージを定義する。
【００１８】
ＮＧ−ＲＡＮにおけるページングポリシーの差別化
ネットワーク内、すなわち通信ネットワーク内でのページングは、様々なイベントについてＵＥに知らせる、および／または通知するために使用される。言い換えれば、ページングは、ネットワークがＵＥに「あなたのために何かがある」と告げる機構である。次に、ＵＥはページングメッセージのコンテンツ、たとえばページング原因をデコードし、ＵＥは対応する手順を開始することができる。
【００１９】
ほとんどの場合、ページング手順は、ＵＥがアイドルモードの間に行われる。これは、ネットワークがページングメッセージを送信しているかどうかをＵＥが監視することができることを意味し、ＵＥは、この「監視」プロセスを実行するために、いくらかのエネルギー、たとえばバッテリを消費することができる。
【００２０】
ページングポリシーの差別化（ＰＰＤ）は、ＡＭＦがオペレータ設定に基づいて、同じプロトコルデータユニット（ＰＤＵ）セッション内で提供される異なるタイプのトラフィックまたはサービスに対して異なるページングストラテジーを適用できるようにするオプション機能である。３ＧＰＰ標準Ｒｅｌ−１５では、この特徴はインターネットプロトコル（ＩＰ）タイプのＰＤＵセッションにのみ適用される。
【００２１】
５Ｇシステム（５ＧＳ）がページングポリシーの差別化（ＰＰＤ）機能をサポートしている場合、アプリケーションによって差別化サービスコードポイント（ＤＳＣＰ）値が設定され、特定のＩＰパケットにどのページングポリシーを適用する必要があるかが５ＧＳに示される。ＤＳＣＰ値は、ＩＰバージョン４（ＩＰｖ４）ヘッダーのタイプオブサービス（ＴｏＳ）フィールド、または、ＩＰバージョン６（ＩＰｖ６）ヘッダーのトラフィッククラス（ＴＣ）フィールドで伝送される場合がある。たとえば、３ＧＰＰ ＴＳ ２３．２２８の規格書で規定されているように、プロキシコールセッション制御機能（Ｐ−ＣＳＣＦ）は、特定のＩＰマルチメディアサブシステム（ＩＭＳ）サービスに関連してＵＥに向けて送信されるパケットをマーキングすることによってＰＰＤをサポートすることがある。特定のＩＭＳサービスは、たとえば、ＩＭＳマルチメディアテレフォニーサービスで定義されている通話音声であってもよい。
【００２２】
ＰＰＤ機能が特定のホームパブリックランドモバイルネットワーク（ＨＰＬＭＮ）、デジタルニュースネットワーク（ＤＮＮ）、および５Ｇサービス品質（ＱｏＳ）インジケータ（５ＱＩ）にのみ適用されるように、オペレータがシステムマネジメント機能（ＳＭＦ）を構成（設定）してもよい。ホーム経路指定（ＨＲ）ローミングの場合、この構成は、訪問先ＰＬＭＮ（ＶＰＬＭＮ）内のＳＭＦ内で行われる。ＨＲローミングの場合のＰＰＤのサポートには、この機能に関連付けられたＤＳＣＰ値を含むオペレータ間での合意が必要である。
【００２３】
ネットワークトリガによるサービスリクエストおよびユーザプレーン機能（ＵＰＦ）がダウンリンク（ＤＬ）データパケットをバッファリングする場合、ＵＰＦは、ダウンリンクデータパケットのＩＰヘッダーからのサービスタイプ（ＴＯＳ）（ＩＰｖ４）値、または、送信制御（ＴＣ）（ＩＰｖ６）値に、ＤＳＣＰを含め、ＳＭＦに送信されるデータ通知メッセージに対応するＱｏＳフローのインジケーションを含めることができる。ＰＰＤが適用されると、ＳＭＦはＵＰＦから受信されたＤＳＣＰに基づいてページングポリシーインジケータ（ＰＰＩ）を決定する。
【００２４】
ネットワークトリガによるサービスリクエストおよびＳＭＦがダウンリンクデータパケットをバッファリングする場合に、ＰＰＤが適用されると、ＳＭＦは受信されたダウンリンクデータパケットのＩＰヘッダーから、ＴＯＳ（ＩＰｖ４）値、および／または、ＴＣ（ＩＰｖ６）値におけるＤＳＣＰに基づいてＰＰＩを決定し、受信されたダウンリンクデータパケットのＱｏＳフローＩＤ（ＱＦＩ）から対応するＱｏＳフローを識別する。
【００２５】
ＳＭＦは、ＰＰＩと、リテンション優先度、たとえば、割り当ておよびリテンション優先度（ＡＲＰ）と、ＡＭＦに送信されるＮ１１メッセージ内の対応するＱｏＳフローの５ＱＩと、を含む。ＵＥがコネクションマネジメント（ＣＭ）アイドル状態にある場合、ＡＭＦはこの情報を使用してページングストラテジーを導出し、Ｎ２インターフェースを介してＮＧ−ＲＡＮにページングメッセージを送信する。ネットワーク構成は、ページングポリシーインジケーションのトリガとして使用される情報が５ＧＳ内で変更されないことを確実にする必要とする。また、ネットワーク構成は、特定のページングポリシーが誤って使用されないようにするために、ページングポリシーインジケーションのトリガーとして使用されるＴＯＳ（ＩＰｖ４）値および／またはＴＣ（ＩＰｖ６）値における特定のＤＳＣＰが正しく管理されていることを確実にする必要がある。
【００２６】
ＳＭＦは、同じＱｏＳを持つが異なるページング差別化要件を持つトラフィックが異なるＱｏＳフローで転送されるように、ＵＰＦを構成することができる。さらに、ＳＭＦは、Ｎ２インターフェースを介してＮＧ−ＲＡＮにＱｏＳフロー（ＱＦＩ）のページングポリシーインジケータ（ＰＰＩ）を示す場合がある。これにより、無線リソース制御（ＲＲＣ）が非アクティブ状態にあるＵＥに対して、ＮＧ−ＲＡＮページングの場合に、５ＱＩ、ＡＲＰ、および受信されたＤＬ ＰＤＵのＱＦＩに関連付けられたこのＰＰＩに基づいて、ＮＧ−ＲＡＮページングポリシーを適用できる。
【００２７】
ＲＡＮページングにページングポリシーの差別化を適用するための現在の解決策は、次のとおりである：
−  ＡＭＦは、ＮＧ−Ｃインターフェースを介して各ＱｏＳ−Ｆｌｏｗ（ＱｏＳフロー）のページングポリシーをＣＵ−ＣＰに送信する：
●  ＡＭＦは、ＰＤＵセッションの各ＱｏＳフローのページングポリシー（ＰＰＩ：ページングポリシーインジケータ）をＣＵ−ＣＰに提供するために、ＰＤＵ Session Resource Setup Request（ＰＤＵセッションリソースセットアップリクエスト）メッセージ、または、ＰＤＵ Session Resource Modify（ＰＤＵセッションリソース変更）メッセージのいずれかを使用できる。詳細については、３ＧＰＰ ＴＳ ３８．４１３、ＮＧアプリケーションプロトコル（ＮＧＡＰ）を参照されたい。
【００２８】
●  メモ：ＵＥが接続状態（ＲＲＣ＿ＣＯＮＮＥＣＴＥＤ）の場合、ＡＭＦはページングポリシー（ＰＰＩなど）をＣＵ−ＣＰに送信する。
【００２９】
−  ＣＵ−ＣＰは、ＱｏＳフローごとにＰＰＩを格納する。
【００３０】
−  ＣＵ−ＣＰは、ＵＥを非アクティブ状態（ＲＲＣ＿ＩＮＡＣＴＩＶＥにするために送信することを決定する。
【００３１】
●  メモ：これには、ＲＲＣ＿ＣＯＮＮＥＣＴＥＤからＲＲＣ＿ＩＮＡＣＴＩＶＥへの状態遷移が必要である。ＣＵ−ＣＰが状態遷移を実行することをいつどのように決定するかは、本開示に関連しない。
【００３２】
●  ＣＵ−ＣＰは、ベアラコンテキスト変更手順を使用して、ＵＥがＥ１インターフェースを経由して非アクティブ状態に移行したときにＣＵ−ＵＰに通知する。
【００３３】
−  ＣＵ−ＵＰは、非アクティブなＵＥのためにＮＧ−Ｕインターフェースを介して、５ＧＣからＤＬでトラフィックを受信することができる。
【００３４】
●  ＣＵ−ＵＰは、DL Data Notification（ＤＬデータ通知）手順を使用して、Ｅ１インターフェースを経由して受信されるＤＬトラフィックについてＣＵ−ＣＰに通知する。
【００３５】
−  ＣＵ−ＣＰはＲＡＮページングをトリガする。
【００３６】
●  ＣＵ−ＣＰは、ＮＧ−Ｕインターフェースを介してＤＬトラフィックが検出されたＱｏＳフローにページングポリシー（例：ＰＰＩなど）を適用する。
【発明の概要】
【００３７】
本明細書の実施形態の目的は、効率的な方法で無線通信ネットワークの性能を改善するためのメカニズムを提供することである。
【００３８】
一態様によれば、この目的は、ページングポリシーディファレンシエーション（差別化）（ＰＰＤ）のための無線ネットワークノードによって実行される方法を提供することによって達成される。無線ネットワークノードは、無線デバイスに関連付けられたダウンリンク（ＤＬ）プロトコルデータユニット（ＰＤＵ）であるコアネットワークから受信する。ＤＬ ＰＤＵは、サービス品質（ＱｏＳ）フローに含まれる。ＤＬ ＰＤＵは、それぞれのサービスから発信される。ＤＬ ＰＤＵは、それぞれのサービスに関連するページングポリシーインジケータ（ＰＰＩ）を含む。無線ネットワークノードは、無線ネットワークノードのセントラルユニットユーザプレーン（ＣＵ−ＵＰ）によってＰＰＩを抽出する。ＣＵ−ＵＰを使用して、無線ネットワークノードはセントラルユニット制御プレーン（ＣＵ−ＣＰ）にＰＰＩに関して無線ネットワークノードを通知する。ＣＵ−ＵＰによって、無線ネットワークノードは無線デバイスのページングをトリガする。さらに、無線ネットワークノードは、それぞれのサービスに関連付けられたＰＰＩに従って、無線デバイスのページングを実行する。これにより、ＰＰＤが提供される。
【００３９】
別の態様によれば、目的は、ページングポリシーの差別化（ＰＰＤ）のためのユーザプレーン機能（ＵＰＦ）によって実行される方法を提供することによって達成される。ＵＰＦは、無線デバイスに関連付けられたダウンリンク（ＤＬ）プロトコルデータユニット（ＰＤＵ）を、無線アクセスネットワーク内にある無線ネットワークノードに送信する。ＤＬ ＰＤＵは、サービス品質（ＱｏＳ）フローに含まれる。ＤＬ ＰＤＵは、それぞれのサービスから発信される。ＤＬ ＰＤＵは、それぞれのサービスに関連するページングポリシーインジケータ（ＰＰＩ）を含む。
【００４０】
さらに別の態様によれば、この目的は、ページングポリシーの差別化（ＰＰＤ）のための無線ネットワークノードを提供することによって達成される。無線ネットワークノードは、無線デバイスに関連付けられたダウンリンク（ＤＬ）プロトコルデータユニット（ＰＤＵ）を、コアネットワークから、受信するように構成されている。ＤＬ ＰＤＵは、サービス品質（ＱｏＳ）フローに含まれる。ＤＬ ＰＤＵは、それぞれのサービスから発信される。ＤＬ ＰＤＵは、それぞれのサービスに関連するページングポリシーインジケータ（ＰＰＩ）を含む。無線ネットワークノードは、無線ネットワークノードのセントラルユニットユーザプレーン（ＣＵ−ＵＰ）によってＰＰＩを抽出するようにさらに構成される。ＣＵ−ＵＰによって、無線ネットワークノードは、セントラルユニット制御プレーン（ＣＵ−ＣＰ）にＰＰＩについての無線ネットワークノードを通知するように構成される。ＣＵ−ＵＰによって、無線ネットワークノードは無線デバイスのページングをトリガするように構成される。さらに、無線ネットワークノードは、それぞれのサービスに関連付けられたＰＰＩに従って無線デバイスのページングを実行するように構成される。これにより、ＰＰＤが提供される。
【００４１】
さらに別の態様によれば、この目的は、ページングポリシーの差別化（ＰＰＤ）のためのユーザプレーン機能（ＵＰＦ）を提供することによって達成される。ＵＰＦは、無線デバイスに関連付けられたダウンリンク（ＤＬ）プロトコルデータユニット（ＰＤＵ）を、無線アクセスネットワーク内にある無線ネットワークノードに、送信するように構成されている。ＤＬ ＰＤＵは、サービス品質（ＱｏＳ）フローに含まれる。ＤＬ ＰＤＵは、それぞれのサービスから発信される。ＤＬ ＰＤＵは、それぞれのサービスに関連するページングポリシーインジケータ（ＰＰＩ）を含む。
【００４２】
さらに本明細書では、命令を含むコンピュータプログラムプロダクトが提供され、当該命令は、少なくとも１つのプロセッサ上で実行されると、無線ネットワークノードまたはＵＰＦによって実行されるよう、少なくとも１つのプロセッサに上記の方法のいずれかを実行させる。さらに、ここでは、少なくとも１つのプロセッサ上で実行されるとき、無線ネットワークノードまたはＵＰＦによって実行されるよう、少なくとも１つのプロセッサに上記の方法のいずれかに従って方法を実行させる命令を含むコンピュータプログラムプロダクトを記憶する、コンピュータ可読記憶媒体が提供される。
【００４３】
さらに別の態様によれば、目的は、無線デバイスに関連付けられたダウンリンク（ＤＬ）プロトコルデータユニット（ＰＤＵ）をコアネットワークから受信するように構成されたプロセッシング（演算処理）回路を含む無線ネットワークノードを提供することによって達成される。ＤＬ ＰＤＵは、サービス品質（ＱｏＳ）フローに含まれる。ＤＬ ＰＤＵは、それぞれのサービスから発信される。ＤＬ ＰＤＵは、それぞれのサービスに関連するページングポリシーインジケータ（ＰＰＩ）を含むる。プロセッシング回路はさらに、ＰＰＩを抽出し、無線ネットワークノードをセントラルユニット制御プレーン（ＣＵ−ＣＰ）に対してＰＰＩについて通知し、無線デバイスのページングをトリガするように構成される。さらに、無線ネットワークノードは、それぞれのサービスに関連付けられたＰＰＩに従って無線デバイスのページングを実行するように構成される。
【００４４】
さらに別の態様によれば、目的は、無線デバイスに関連付けられたダウンリンク（ＤＬ）プロトコルデータユニット（ＰＤＵ）を無線アクセスネットワーク内の無線ネットワークノードに送信するように構成されたプロセッシング回路を含むユーザプレーン機能（ＵＰＦ）を提供することによって達成される。ＤＬ ＰＤＵは、サービス品質（ＱｏＳ）フローに含まれる。ＤＬ ＰＤＵは、それぞれのサービスから発信される。ＤＬ ＰＤＵは、それぞれのサービスに関連するページングポリシーインジケータ（ＰＰＩ）を含む。
【００４５】
本明細書の実施形態は、ページングポリシーが、同じＱｏＳフロー内の異なるサービスに対してさらに差別化されるという、強化されたＰＰＤを提供する。同じＱｏＳフロー内のサービスごとのＰＰＩのおかげで、同じＱｏＳフロー内の異なるサービスのＤＬ ＰＤＵは異なる方法で扱われる。同じＱｏＳフロー内のサービスごとのＰＰＩがＤＬ ＰＤＵで伝送されるため、無線デバイスのページングは無線ネットワークノードによってＤＬ ＰＤＵに基づいて直接的に実行される。
【図面の簡単な説明】
【００４６】
以下、添付の図面に関連して実施形態をより詳細に説明する。
【００４７】
【図１】は、本明細書の実施形態による新世代無線通信ネットワークアーキテクチャを示す概略図である。
【００４８】
【図２】は、本明細書の実施形態によるスプリット型のｇＮＢアーキテクチャを示す概略図である。
【００４９】
【図３ａ】は、本明細書の実施形態による無線通信ネットワークを示す概略図である。
【００５０】
【図３ｂ】は、本明細書の実施形態による無線ネットワークノードのスプリット型のアーキテクチャを示す概略図である。
【００５１】
【図４ａ】および、
【図４ｂ】は、本明細書の実施形態による無線ネットワークノードによって実行される方法を示すフローチャートである。
【００５２】
【図５】は、本明細書の実施形態による、ＵＰＦによって実行される方法を示すフローチャートである。
【００５３】
【図６】は本明細書の実施形態に従う結合されたシグナリング方式を示すフローチャートである。
【００５４】
【図７】は、本明細書の実施形態によるＤＬ ＰＤＵセッション情報フレームを示す図である。
【００５５】
【図８】は、本明細書の実施形態によるＤＬデータ通知メッセージを示す図である。
【００５６】
【図９】は、本明細書の実施形態による無線ネットワークノードを示すブロック図である。
【００５７】
【図１０】は本明細書の実施形態によるＵＰＦを示すブロック図である。
【００５８】
【図１１】および、
【図１２】および、
【図１３】および、
【図１４】および、
【図１５】および、
【図１６】は、ホストコンピュータ、基地局、およびユーザ装置を含む通信システムにおいて実施される方法を示すフローチャートである。
【発明を実施するための形態】
【００５９】
本明細書の実施形態は、一般に無線通信ネットワークに関する。図３ａは、無線通信ネットワーク１を示す概略図である。無線通信ネットワーク１は、１つまたは複数のＣＮとしてのＣＮ１、たとえば５ＧＣ、に接続された１つまたは複数のＲＡＮ、たとえば第１のＲＡＮとしてのＲＡＮ１を含む。無線通信ネットワーク１は、１つまたは複数の技術、たとえば、Ｗｉ−Ｆｉ、ロングタームエボリューション（ＬＴＥ）、ＬＴＥアドバンスド、５Ｇ、ワイドバンド符号分割多元接続（ＷＣＤＭＡ）、移動通信のためのグローバルシステム／ＧＳＭエボリューションのための拡張データレート（ＧＳＭ／ＥＤＧＥ）、マイクロウエーブアクセスのためのワールドワイドインターオペラビリティ（ＷｉＭａｘ）、または、ウルトラモバイルブロードバンド（ＵＭＢ）を使用しうるが、これらは可能な実装のほんの一部に言及したに過ぎない。本明細書の実施形態は、５Ｇの文脈において特に興味深い最近のテクノロジー傾向に関連するが、実施形態は、たとえば３ＧおよびＬＴＥなどの現存する通信システムのさらなる発展型にも適用可能である。
【００６０】
無線通信ネットワーク１において、無線デバイス、たとえば、移動局、非アクセスポイント（非ＡＰ）ステーション（ＳＴＡ）、ＳＴＡ、ユーザ装置および／または無線端末のような無線デバイス１０は、１つ以上のＲＡＮであるＲＡＮ１を介して１つ以上のＣＮである ＣＮ１、たとえば、５ＧＣに接続される。「無線デバイス」は、任意の端末、無線通信端末、通信機器、マシンタイプ通信（ＭＴＣ）機器、デバイスツーデバイス（Ｄ２Ｄ）端末、またはユーザ装置、たとえば、スマートフォン、ラップトップ、携帯電話、センサ、中継器、携帯タブレット、またはセルもしくはサービスエリア内で通信する任意の機器を意味する非限定的な用語であることを当業者は理解すべきである。無線デバイス１０は、キャリアラスタを用いてキャリアを探索する。キャリアラスタは、無線デバイスのキャリアの候補となる周波数位置を示すものである。
【００６１】
無線通信ネットワーク１は無線ネットワークノード１２を含む。無線ネットワークノード１２は、ここでは、ＮＲ、ＬＴＥ、ＵＭＴＳ、Ｗｉ−Ｆｉなどの無線アクセステクノロジーの地理的領域である、第１のサービスエリア１１上の無線カバレッジを提供するＲＡＮノードとして例示される。無線ネットワークノード１２は、無線ネットワークコントローラ、または無線ローカルエリアネットワーク（ＷＬＡＮ）アクセスポイントやアクセスポイントステーション（ＡＰ  ＳＴＡ）のようなアクセスポイント、アクセスコントローラ、基地局、たとえば、ノードＢ、ｇノードＢ、進化したノードＢ（ｅＮＢ、ｅノードＢ）などの無線基地局、基地送信局、アクセスポイント基地局、基地局ルータ、無線基地局の送信アレンジメント、スタンドアロンアクセスポイント、または無線ネットワークノード１２によって提供されるサービスエリア内の無線デバイス１０にサービスを提供することができる他の任意のネットワークユニットなどの無線アクセスネットワークノードであってもよく、これは、たとえば、使用される無線アクセステクノロジーや用語に依存し、受信側の無線ネットワークノードとして表されてもよい。無線ネットワークノード１２は、代わりに、ＭＭＥまたは制御ネットワークノードのようなコアネットワークノードであってもよい。
【００６２】
サービスエリアは、無線カバレッジのエリアを定義するために、セル、ビーム、ビームグループ、または同様のものとして示され得ることに留意されたい。
【００６３】
本明細書の実施形態は、たとえばＮＧ−ＲＡＮにおける非アクティブＵＥのためのページングポリシーの差別化（ＰＰＤ）に関する。
【００６４】
従来の解決策では、異なるサービス、すなわち、異なるサービスデータフローが、同じＱｏＳフロー上にマッピングされてもよい。ただし、サービスごとに異なるページングポリシーが必要な場合がある。たとえば、ＩＭＳ経由のインスタントメッセージ（ＩＭ）とＩＭＳ経由の音声が同じＱｏＳフローにマッピングされている場合があるが、これらの２つのサービスには異なるページングポリシーが必要な場合がある。
【００６５】
従来のソリューションでは、異なるＱｏＳフローに対して異なるページングポリシーのみが許可され、同じＱｏＳフローにマッピングされているサービスに対して異なるページングポリシーを適用することはできない。
【００６６】
本明細書の実施形態は、同じＱｏＳフロー上にマッピングされる異なるサービスに対して異なるページングポリシーを提供する。ページングポリシーは、ページングポリシーインジケータ（ＰＰＩ）によって示される。
【００６７】
ページングポリシーインジケータとページングプライオリティ（優先度）インジケータという用語は、本開示では交換可能である。
【００６８】
図３ｂは、本明細書で説明する実施形態による無線ネットワークノード１２のスプリット型アーキテクチャを概略的に示す。スプリット型アーキテクチャは、図２に概略的に示すスプリット型アーキテクチャに関する。概略的に示されるように、スプリット型アーキテクチャは、セントラルユニット制御プレーン（ＣＵ−ＣＰ）１２ａと制御部ユーザプレーン（ＣＵ−ＵＰ）１２ｂとの間の新しいオープンインターフェースを含む。ＣＵ−ＣＰ１２ａと１つ以上のＣＵ−ＵＰ１２ｂとの間のオープンインターフェースをＥ１インターフェースと呼ぶ。前述のように、Ｅ１ ＡＰは、Ｅ１インターフェースを介してユーザプレーンサービスをＵＥ１０に提供するために、ＣＵ−ＣＰ１２ａとＣＵ−ＵＰ１２ｂとの間で交換されるメッセージを定義する。
【００６９】
さらに、図３ｂのコアネットワークＣＮ１は、それぞれＮＧ−ＣインターフェースおよびＮＧ−Ｕインターフェースを介して無線ネットワークノード１２と通信することができるＡＭＦおよびＵＰＦ１５を含む。
【００７０】
無線アクセスネットワーク（ＲＡＮ）（たとえば、ＲＡＮ１）において、本明細書の実施形態によるページングポリシーの差別化（ＰＰＤ）のために無線ネットワークノード１２によって実行される動作は、図４ａに示されるフローチャートと、本明細書の実施形態を示す概略的な組み合わされたシグナリング方式およびフローチャートである図６とに関連して説明される。したがって、無線ネットワークノード１２は、ＰＰＤのためのアクションを実行する。前述のように、無線ネットワークノード１２はＲＡＮ１に含まれる。アクションは、以下に述べる順序で行われる必要はなく、任意の適切な順序で行われてもよい。いくつかの実施形態で実行されるアクションは、破線のボックスでマークされうる。
【００７１】
アクションＳ４１０.
本明細書の実施形態では、無線ネットワークノード１２は、コアネットワーク、たとえば、図３ａおよび３ｂのコアネットワークＣＮ１からダウンリンク（ＤＬ）プロトコルデータユニット（ＰＤＵ）を受信することができる。ＤＬ ＰＤＵは、たとえば、イベントについて無線デバイス１０に報知および／または通知するために、無線デバイス１０に関連付けられる。ＤＬ ＰＤＵは、サービス品質（ＱｏＳ）フローに含まれうる。ＤＬ ＰＤＵは、それぞれのサービスから発信されてもよい。ＤＬ ＰＤＵは、それぞれのサービスに関連するページングポリシーインジケータ（ＰＰＩ）を含むことができる。すなわち、ＤＬ ＰＤＵは、ＱｏＳフロー内のサービスごとのページングポリシーインジケータ（ＰＰＩ）を含むことができる。したがって、本明細書の実施形態は、同じＱｏＳフロー上にマッピングされる異なるサービスのＤＬ ＰＤＵに対して異なるページングポリシーを提供する。
【００７２】
１つのＱｏＳフローは、複数のＤＬ ＰＤＵを含むことができる。複数のＤＬ ＰＤＵは、それぞれ異なるサービスに関連付けられている場合がある。ただし、１つのＱｏＳフロー内のすべてのＤＬ ＰＤＵに同じＱｏＳ要件が課されている場合がある。言い換えると、複数のＰＤＵは、異なるサービスから発信されているが、同じＱｏＳ要件を持つ限り、同じＱｏＳフローにマッピングされてもよい。本明細書におけるＱｏＳ−Ｆｌｏｗ（ＱｏＳフロー）という用語は、特定のＱｏＳ要件を有するＰＤＵのフローを指すことがある。このフローは、異なるサービス、たとえば、ＩＭ、音声、ビデオなどに関連するＰＤＵを含むことができる。
【００７３】
ＤＬ ＰＤＵは、コアネットワークＣＮ１から無線ネットワークノード１２に送信される任意のフレームであってもよい。ＰＰＩは、ＤＬ ＰＤＵの任意のフィールドで搬送されてもよい。図７に示す非限定の例によれば、ＤＬ ＰＤＵは、ＤＬ ＰＤＵセッション情報フレームであってもよく、ＰＰＩは、ＤＬ ＰＤＵセッション情報フレームのスペアフィールドで搬送されてもよい。
【００７４】
ＤＬ ＰＤＵ自身が無線デバイス１０に送信されない場合がある。しかしながら、このＤＬ ＰＤＵは、無線デバイス１０のためのデータを含んでいてもよく、もしそうであれば、ページングプロシージャ（手順）が行われた後で、データが無線デバイス１０に送信されてもよい。
【００７５】
アクションＳ４５０.
無線デバイス１０に関連するＤＬ ＰＤＵに基づいて、無線ネットワークノード１２は、それぞれのサービスに関連するＰＰＩ、すなわちＱｏＳフロー内のサービスごとのＰＰＩに従って、無線デバイス１０のページングを実行してもよい。
【００７６】
本明細書の実施形態は、ページングポリシーが、同じＱｏＳフロー内の異なるサービスに対してさらに差別化される、強化されたＰＰＤを提供する。異なるＰＰＩで設定された異なるサービスのおかげで、同じＱｏＳフロー内の異なるサービスのＤＬ ＰＤＵは、それに応じて異なる方法で処理される。同じＱｏＳフロー内のサービスごとのＰＰＩがＤＬ ＰＤＵ内で運ばれるため、無線デバイス１０のページングは無線ネットワークノード１２によってＤＬ ＰＤＵに基づいて直接的に実行されてもよい。
【００７７】
いくつかの実施形態によれば、無線ネットワークノード１２は、図２および図３ｂに示すような上記のスプリット型アーキテクチャを有することができる。そのようなケースでは、無線ネットワークノード１２は、ＣＵおよびＤＵを含むことができる。ＣＵは、制御プレーン（ＣＵ−ＣＰ）１２ａおよびユーザプレーン（ＣＵ−ＵＰ）１２ｂを含むことができる。ＣＵ−ＣＰ１２ａと１台のＤＵは、Ｆ１−Ｃインターフェースを介して通信できる。ＣＵ−ＵＰ１２ｂと１台のＤＵは、Ｆ１−Ｕインターフェースを介して通信できる。Ｅ１インターフェースは、そのＣＵのＣＵ−ＣＰ１２ａとＣＵ−ＵＰ１２ｂとの間で使用することができる。スプリット型アーキテクチャについてのより関連する合意事項も、３ＧＰＰ ＴＲ ３８．８０６規格書において収集することができる。
【００７８】
無線ネットワークノード１２が上記のスプリット型アーキテクチャを有する場合、ページングポリシーの差別化（ＰＰＤ）のための無線アクセスネットワークＲＡＮ１における無線ネットワークノード１２によって実行される方法の動作について、ここでさらに説明する。ここで、図４ｂに描かれたフローチャートを参照して、本明細書の実施形態を、概略的に結合されたシグナリング方式およびフローチャートである図６と共に説明する。アクションは、以下に述べられる順序で行われる必要はなく、任意の適切な順序で行われてもよい。いくつかの実施形態で実行されるアクションは、破線のボックスでマークされてもよい。
【００７９】
アクションＳ４１０.
無線ネットワークノード１２のセントラルユニットユーザプレーン（ＣＵ−ＵＰ）１２ｂは、たとえば、新世代ユーザプレーン（ＮＧ−Ｕ）インターフェースを介して、たとえば、コアネットワークＣＮ１内のユーザプレーン機能（ＵＰＦ）１５から、それぞれのサービスに関連するＰＰＩ、すなわち、サービスごとのＰＰＩを有するＤＬ ＰＤＵを受信することができる。
【００８０】
アクションＳ４２０.
ＤＬ ＰＤＵを受信した後、無線ネットワークノード１２のＣＵ−ＵＰ１２ｂは、その中で搬送されるＰＰＩを抽出、すなわち決定することができる。
【００８１】
アクションＳ４３０.
次に、無線ネットワークノード１２のＣＵ−ＵＰ１２ｂは、ＰＰＩを無線ネットワークノード１２のＣＵ−ＣＰ１２ａに通知してもよい。
【００８２】
ＰＰＩは、たとえばＥ１インターフェースを介してＣＵ−ＵＰ１２ｂからＣＵ−ＣＰ１２ａに送信される任意のメッセージ、たとえば図８に示されるようなＤＬデータ通知メッセージを使用することによって、通知されてもよい。
【００８３】
アクションＳ４４０.
サービスごとのＰＰＩに基づいて、無線ネットワークノード１２のＣＵ−ＣＰ１２ａは、無線デバイス１０のページングをトリガすることができる。
【００８４】
アクションＳ４５０.
無線ネットワークノード１２のＣＵ−ＣＰ１２ａは、たとえば、ＤＬデータ通知メッセージで搬送されるＱｏＳフロー内のサービスごとのＰＰＩに従って、無線デバイス１０のページングを実行することができる。
【００８５】
本明細書で説明されるメカニズムを使用することによって、提供される拡張ＰＰＤは、スプリット型アーキテクチャを有する任意の無線ネットワークノード１２に適用可能である。
【００８６】
いくつかの実施形態は、ＮＲの文脈で説明されるが、本明細書の実施形態は、他の無線通信システムにも適用可能であることを当業者は理解するであろう。
【００８７】
ここで、本明細書の実施形態によるページングポリシーの差別化（ＰＰＤ）のために、コアネットワーク、たとえば、コアネットワーク内のＵＰＦ１５によって実行される方法アクションを、図６と共に、図５に示すフローチャートを参照して説明する。したがって、ＵＰＦ１５は、ＰＰＤのためのアクションを実行する。前述のように、ＵＰＦ１５はコアネットワークＣＮ１に含まれる。アクションは、以下に述べる順序で行われる必要はなく、任意の適切な順序で行われてもよい。いくつかの実施形態で実行されるアクションは、破線のボックスでマークされてもよい。
【００８８】
アクションＳ５１０.
ここで強化されたＰＰＤを可能にするために、コアネットワークＣＮ１、たとえば、コアネットワークＣＮ１内のＵＰＦ１５は、それぞれのサービスに関連するＰＰＩを構成（設定）することができる。すなわち、ＰＰＩは、サービスごとであり、たとえば、各（タイプの）サービスに対して１つのＰＰＩが設けられる。たとえば、第１のＰＰＩはＩＭＳ上のインスタントメッセージ（ＩＭ）と関連づけられ、第２のＰＰＩはＩＭＳ上の通話音声と関連づけられてもよい。さらに、２つのサービス、すなわち、所定の例におけるＩＭＳ上のＩＭと、ＩＭＳ上の音声とは、それぞれの第１および第２のＰＰＩを有し、同じＱｏＳフローにマッピングされる。
【００８９】
アクションＳ５２０.
拡張ＰＰＤを実装するために、コアネットワークＣＮ１、たとえば、コアネットワークＣＮ内のＵＰＦ１５は、それぞれのサービスに関連付けられたＰＰＩを含むＵＬ ＰＤＵを無線ネットワークノード１２に送信することができる。
【００９０】
ＱｏＳフロー内のサービスごとのＰＰＩのおかげで、本明細書の実施形態によれば、ページングポリシーは、同じＱｏＳフロー内の異なる複数のサービスについてさらに差別化される。
【００９１】
次に、拡張ページングポリシーの差別化（ＰＰＤ）についてさらに説明する。実施形態は、以下のような２つの部分を含んでもよい。
【００９２】
１．  ＮＧ−Ｕインターフェースにページングポリシーインジケータが追加されてもよい：
ＮＧ−Ｕインターフェースは、３ＧＰＰ ＴＳ ３８．４１５標準規格書で定義されている。ページングポリシーインジケータは、たとえば、ＵＰＦ１５からＣＵ−ＵＰ１２ｂに送られるＤＬ ＰＤＵセッション情報フレームに含まれてもよく、ＤＬ ＰＤＵの配信のための情報を運ぶことができる。フレームフォーマットを図７に示す。１つのオプションは、たとえば、ページングポリシーのためのＰＰＩまたは別の識別子を含めるために、このフレームにおいて予備ビット（図７において太字で示される）を使用することであり得る。
【００９３】
２．  図８に示すように、DL Data Notification（ＤＬデータ通知）メッセージにページングポリシーを追加することができる。
【００９４】
一旦、ＣＵ−ＵＰ１２ｂは、たとえば非アクティブなＵＥ１０に対して、ＤＬ ＰＤＵセッション情報フレームまたは一般的にはＮＧ−Ｕインターフェース上のＤＬ ＰＤＵを受信すると、ページングプライオリティインジケータを抽出し、ＣＵ−ＣＰ１２ａに向けてＤＬデータ通知手順をトリガすることができる。
【００９５】
ＤＬデータ通知メッセージは、ページングプライオリティインジケータを含むように拡張される場合がある。ＤＬデータ通知メッセージを拡張するための可能な解決策を図８に示す。
【００９６】
ＤＬデータ通知メッセージは、ｇＮＢ−ＣＵ−ＵＰから、たとえば、無線ネットワークノード１２のＣＵ−ＵＰ１２ｂから、ｇＮＢ−ＣＵ−ＣＰ、たとえば、無線ネットワークノード１２のＣＵ−ＣＰ１２ａに送信されてもよい。
【００９７】
ＣＵ−ＣＰ１２ａ は、このメッセージを受信すると、指示されたページングプライオリティインジケータでＲＡＮにページングをトリガすることができる。このインジケータは、ＤＬデータの送信元である特定のサービスに対して定義される。
【００９８】
いくつかの実施形態では、ＵＥ１０、ｇＮＢ １２、およびＵＰＦ１５は、それぞれ、コアネットワーク内の無線デバイス、無線ネットワークノード、およびエンティティの例として示される。しかしながら、当業者は、開示された実施形態が、図３ａにおけるように、コアネットワークＣＮ１における任意の無線デバイス、任意の無線ネットワークノード、および任意のエンティティに等しく適用可能であることを理解するであろう。
【００９９】
図９は、本明細書の実施形態によるページングポリシーの差別化（ＰＰＤ）のための無線アクセスネットワークＲＡＮ１における無線ネットワークノード１２を示す構成図である。
【０１００】
無線ネットワークノード１２は、本明細書の方法を実行するように構成されたプロセッシング（演算処理）回路９０１、たとえば、１つまたは複数のプロセッサを含むことができる。
【０１０１】
無線ネットワークノード１２は、セントラルユニットユーザプレーン（ＣＵ−ＵＰ）１２ｂおよびセントラルユニット制御プレーン（ＣＵ−ＣＰ）１２ａ（図３ｂに示す）を含むことができる。
【０１０２】
無線ネットワークノード１２は、受信モジュール９１０、たとえば、受信機または送受信機を含むことができる。無線ネットワークノード１２、プロセッシング回路９０１、受信モジュール９１０および／またはＣＵ−ＵＰ１２ｂは、コアネットワークＣＮ１から、それぞれのサービスに関連付けられたＰＰＩを有するＤＬ ＰＤＵを受信するように構成されてもよい。ＤＬ ＰＤＵは無線デバイス１０に関連づけられてもよく、即ち、イベントについて無線デバイス１０に通知および／または通知してもよい。ＤＬ ＰＤＵは、サービス品質（ＱｏＳ）フローに含まれうる。ＤＬ ＰＤＵは、ＱｏＳフロー内のサービスごとのページングポリシーインジケータ（ＰＰＩ）を含むことがある。
【０１０３】
ＤＬ ＰＤＵは、コアネットワークＣＮ１から無線ネットワークノード１２に送信される任意のフレームであってもよい。ＰＰＩは、ＤＬ ＰＤＵの任意のフィールドで搬送されてもよい。図７に示す無制限の例によれば、ＤＬ ＰＤＵは、ＤＬ ＰＤＵセッション情報フレームであってもよく、ＰＰＩは、ＤＬ ＰＤＵセッション情報フレームのスペアフィールドで搬送されてもよい。
【０１０４】
無線ネットワークノード１２は、抽出モジュール９１１を含むことができる。無線ネットワークノード１２、プロセッシング回路９０１、抽出モジュール９１１、および／またはＣＵ−ＵＰ１２ｂは、ＤＬ ＰＤＵにおいて搬送されるＰＰＩを抽出する、すなわち決定するように構成されてもよい。
【０１０５】
無線ネットワークノード１２は、通知モジュール９１２を含むことができる。無線ネットワークノード１２、プロセッシング回路９０１、通知モジュール９１２および／またはＣＵ−ＵＰ１２ｂは、ＰＰＩをＣＵ−ＣＰ１２ａに通知するように構成されてもよい。ＰＰＩは、任意のメッセージ、たとえば、図８に示されるようなＤＬデータ通知メッセージを使用することによって通知されてもよい。
【０１０６】
無線ネットワークノード１２は、トリガモジュール９１３を含むことができる。無線ネットワークノード１２、プロセッシング回路９０１、トリガモジュール９１３および／またはＣＵ−ＣＰ１２ａは、無線デバイス１０のページングをトリガするように構成されてもよい。
【０１０７】
無線ネットワークノード１２は、ページングモジュール９１４を含むことができる。無線ネットワークノード１２、プロセッシング回路９０１、ページングモジュール９１４、および／またはＣＵ−ＣＰ１２ａは、ＱｏＳフロー内のサービスごとのＰＰＩに従って無線デバイス１０のページングを実行するように構成されてもよい。
【０１０８】
無線ネットワークノード１２は、さらに、メモリ９０４を含むことができる。メモリは、ＰＰＩ、ＤＬ ＰＤＵ、フレーム、および／または実行されるときや同様のときに本明細書で開示される方法を実行するためのメッセージなどの、データを格納するために使用される１つまたは複数のユニットを含む。したがって、無線ネットワークノード１２は、プロセッシング回路およびメモリを含むことができ、当該メモリは、プロセッシング回路によって実行可能な命令を備え、それによって、無線ネットワークノード１２は、本明細書の方法を実行するように動作可能とされてもよい。
【０１０９】
無線ネットワークノード１２について本明細書で説明される実施形態による方法は、それぞれ、少なくとも１つのプロセッサ上で実行されると、無線ネットワークノード１２によって実行されるように、少なくとも１つのプロセッサに本明細書で説明されるアクションを実行させる命令、すなわち、ソフトウェアコード部分を含む、たとえば、コンピュータプログラム９０５またはコンピュータプログラムプロダクト９０５によって実装される。コンピュータプログラムプロダクト９０５は、コンピュータ可読記憶媒体９０６、たとえば、ディスク、ＵＳＢ等に記憶されてもよい。コンピュータプログラムプロダクト９０５を記憶したコンピュータ可読記憶媒体９０６は、少なくとも１つのプロセッサ上で実行されると、無線ネットワークノード１２によって実行されるように、少なくとも１つのプロセッサに本明細書で説明されるアクションを実行させる命令を含むことができる。いくつかの実施形態において、コンピュータ可読記憶媒体は、非一時的なコンピュータ可読記憶媒体であってもよい。
【０１１０】
図１０は、本明細書の実施形態によるページングポリシーの差別化（ＰＰＤ）のための、コアネットワークＣＮ１、たとえば、コアネットワークＣＮ１内のＵＰＦ１５によって示されるブロック図である。
【０１１１】
コアネットワークＣＮ１、たとえば、コアネットワークＣＮ１内のＵＰＦ１５は、本明細書の方法を実行するように構成されたプロセッシング回路１００１、たとえば、１つまたは複数のプロセッサを含むことができる。
【０１１２】
コアネットワークＣＮ１、たとえば、コアネットワークＣＮ１内のＵＰＦ１５は、構成モジュール１０１０を含むことができる。コアネットワークＣＮ１、たとえば、コアネットワークＣＮ１内のＵＰＦ１５、プロセッシング回路１００１、および／または構成モジュール１０１０は、サービスごとにＰＰＩを構成するように、すなわち、サービスのタイプ（種類）ごとに１つのＰＰＩを構成するように、構成されてもよい。
【０１１３】
コアネットワークＣＮ１、たとえば、コアネットワークＣＮ１内のＵＰＦ１５は、送信モジュール１０１１、たとえば、送信機またはトランシーバ（送受信機）を含むことができる。コアネットワークＣＮ１、たとえば、コアネットワークＣＮ１内のＵＰＦ１５、プロセッシング回路１００１および／または送信モジュール１０１１は、ＱｏＳフロー内でサービスごとのＰＰＩを含むＵＬ ＰＤＵを無線ネットワークノード１２に送信するようにさらに構成されることがある。
【０１１４】
コアネットワークＣＮ１、たとえば、コアネットワークＣＮ１内のＵＰＦ１５は、メモリ１００４をさらに含むことができる。メモリは、ＵＬグラント、データ、ＤＬ ＰＤＵ、サービス、ページングインジケータ、無線デバイスに関連する情報、および／または、実行されているときに本明細書に開示された方法を実行するための無線ネットワークノードに関連する情報などについてのデータを記憶するために使用される１つ以上のユニットを含む。したがって、コアネットワークＣＮ１、たとえば、コアネットワークＣＮ１内のＵＰＦ１５は、プロセッシング回路およびメモリを含むことができ、当該メモリは、当該プロセッシング回路によって実行可能な命令を備え、それによって、前記無線ネットワークノードは、本明細書の方法を実行するように動作可能とされてもよい。
【０１１５】
コアネットワークＣＮ１、たとえば、コアネットワークＣＮ１内のＵＰＦ１５について本明細書で説明される実施形態による方法は、少なくとも１つのプロセッサ上で実行されると、コアネットワークＣＮ１、たとえば、コアネットワークＣＮ１内のＵＰＦ１５によって実行されるように、少なくとも１つのプロセッサに本明細書で説明されるアクションを実行させる命令、すなわち、ソフトウェアコード部分を含む、たとえば、コンピュータプログラム１００５またはコンピュータプログラムプロダクト１００５によってそれぞれ実装される。コンピュータプログラムプロダクト１００５は、コンピュータ可読記憶媒体１００６、たとえばディスク等に記憶されることができる。コンピュータプログラムプロダクト１００５に記憶されたコンピュータ可読記憶媒体１００６は、少なくとも１つのプロセッサ上で実行されるとき、コアネットワークＣＮ１、たとえばコアネットワークＣＮ１内のＵＰＦ１５によって実行されるように、本明細書に記載されるアクションを少なくとも１つのプロセッサに実行させる命令を含むことができる。いくつかの実施形態において、コンピュータ可読記憶媒体は、非一時的なコンピュータ可読記憶媒体であってもよい。
【０１１６】
通信設計に精通した者によって容易に理解されるように、その機能、手段またはモジュールは、デジタルロジックおよび／または１つ以上のマイクロコントローラ、マイクロプロセッサ、または他のデジタルハードウェアを使用して実装されてもよい。いくつかの実施形態では、様々な機能のいくつかまたは全ては、単一の特定用途向け集積回路（ＡＳＩＣ）などで一緒に実装されてもよく、またはそれらの間に適切なハードウェアおよび／またはソフトウェアインターフェースを有する２つ以上の別個のデバイスで実装されてもよい。いくつかの機能は、たとえば、ＵＰＦの他の機能構成要素と共用されるプロセッサ上に実装されてもよい。
【０１１７】
代替的に、上述された処理手段のいくつかの機能要素は、専用ハードウェア他を通して提供されてもよく、他のものは、適切なソフトウェアまたはファームウェアと関連して、ソフトウェアを実行するためのハードウェアを備えている。したがって、本明細書で使用される「プロセッサ」または「コントローラ」という用語は、ソフトウェアを実行することができるハードウェアを排他的に意味するものではなく、デジタルシグナルプロセッサ（ＤＳＰ）ハードウェア、ソフトウェアを記憶するための読み出し専用メモリ（ＲＯＭ）、ソフトウェアおよび／またはプログラムまたはアプリケーションデータを記憶するためのランダムアクセスメモリ、および不揮発性メモリを暗黙的に含むことができる。他のハードウェア、通常のものおよび／またはカスタムなものも含まれ得る。無線ネットワークノードの設計者は、これらの設計選択に固有の費用、性能、および保守のトレードオフを理解するであろう。
【０１１８】
図１１を参照すると、実施形態に従って、通信システムは、無線アクセスネットワークＲＡＮ１などのアクセスネットワーク３２１１と、コアネットワークＣＮ１などのコアネットワーク３２１４とを含む、３ＧＰＰタイプのセルラネットワークなどの電気通信ネットワーク３２１０を含む。アクセスネットワーク３２１１は、無線ネットワークノード１２、ＮＢ、ｅＮＢ、ｇＮＢまたは本明細書では無線ネットワークノードの例である他のタイプの無線アクセスポイントなどである複数の基地局３２１２ａ、３２１２ｂ、３２１２ｃを含み、それぞれが対応するカバレッジエリア３２１３ａ、３２１３ｂ、３２１３ｃを定義する。基地局３２１２ａ、３２１２ｂ、３２１２ｃのそれぞれは、有線または無線コネクション３２１５を介してコアネットワーク３２１４に接続可能である。第１ユーザ装置（ＵＥ）３２９１は、無線デバイス１０の一例であり、カバレッジエリア３２１３ｃに位置するものが、対応する基地局３２１２ｃと無線で接続されたり、または、ページングされたりするように構成されている。カバレッジエリア３２１３ａ内の第２ＵＥ３２９２は、対応する基地局３２１２ａに無線で接続可能である。この例では、複数のＵＥ３２９１、３２９２が示されているが、開示された実施形態は、単一のＵＥがカバレッジエリア内に存在する状況や、単一のＵＥが対応する基地局３２１２に接続している状況にも、等しく適用可能である。
【０１１９】
通信ネットワーク３２１０は、それ自体がホストコンピュータ３２３０に接続されており、これは、スタンドアロン型サーバ、クラウドに実装されたサーバ、分散型サーバ、またはサーバファーム内のプロセッシングリソースのハードウェアおよび／またはソフトウェアにおいて実装されてもよい。ホストコンピュータ３２３０は、サービスプロバイダの所有権または制御下にあってもよいし、サービスプロバイダによって、またはサービスプロバイダの代わりに運用されてもよい。通信ネットワーク３２１０とホストコンピュータ３２３０との間のコネクション３２２１、３２２２は、コアネットワーク３２１４からホストコンピュータ３２３０に直接的に延在していてもよく、あるいは任意の中間ネットワーク３２２０を介してもよい。中間ネットワーク３２２０は、パブリックネットワーク、プライベートネットワーク、またはホストされるネットワークのうちの１つ、または２つ以上の組合せとすることができ、中間ネットワーク３２２０は、もしあれば、バックボーンネットワークまたはインターネットとすることができ、特に、中間ネットワーク３２２０は、２つ以上のサブネットワーク（図示せず）を有することができる。
【０１２０】
図１１の通信システムは、全体として、接続されたＵＥ３２９１、３２９２の１つとホストコンピュータ３２３０との間の接続を可能にする。コネクティビティ（接続性）は、オーバーザトップ（ＯＴＴ）コネクション３２５０として記述されてもよい。ホストコンピュータ３２３０および接続されたＵＥ３２９１、３２９２は、アクセスネットワーク３２１１、コアネットワーク３２１４、任意の中間ネットワーク３２２０、および考えられるさらなるインフラストラクチャ（図示せず）を媒介として使用して、ＯＴＴコネクション３２５０を介してデータおよび／またはシグナリングを通信するように構成される。ＯＴＴコネクション３２５０は、ＯＴＴコネクション３２５０が通過するように参加している通信デバイスが、アップリンク通信およびダウンリンク通信のルーティング（経路指定）に気付かないという意味でトランスペアレントでありうる。たとえば、基地局３２１２は、接続されたＵＥ３２９１に転送される（たとえば、ハンドオーバされる）ためにホストコンピュータ３２３０から発信されるデータをもつ着信ダウンリンク通信の過去のルーティングについて知らされる必要はない。同様に、基地局３２１２は、ＵＥ３２９１からホストコンピュータ３２３０へ向かう発信されるアップリンク通信の将来のルーティングを認識する必要はない。
【０１２１】
先の段落で説明されたＵＥ、基地局、およびホストコンピュータの、一実施形態による例示的な実装形態を、図１２を参照して以下に説明する。通信システム３３００において、ホストコンピュータ３３１０は、通信システム３３００の別の通信装置のインターフェースと有線または無線コネクションをセットアップし維持するように構成された通信インターフェース３３１６を含むハードウェア３３１５を含む。ホストコンピュータ３３１０は、記憶および／またはプロセッシング（演算処理）能力を有することができるプロセッシング回路３３１８をさらに含む。特に、プロセッシング回路３３１８は、命令を実行するように適合した１つまたは複数のプログラマブルプロセッサ、特定用途集積回路、フィールドプログラマブルゲートアレイ、またはこれらの組み合わせ（図示せず）を含んでもよい。ホストコンピュータ３３１０はさらにソフトウェア３３１１を有し、それがホストコンピュータ３３１０に記憶されるか、またはアクセス可能であり、プロセッシング回路３３１８によって実行可能である。ソフトウェア３３１１は、ホストアプリケーション３３１２を有する。ホストアプリケーション３３１２は、ＵＥ３３３０およびホストコンピュータ３３１０で終端されるＯＴＴコネクション３３５０を介して接続するＵＥ３３３０などのリモートユーザにサービスを提供するように動作可能であってもよい。リモートユーザにサービスを提供する際に、ホストアプリケーション３３１２は、ＯＴＴコネクション３３５０を使用して送信されるユーザデータを提供してもよい。
【０１２２】
通信システム３３００は、さらに、通信システム内に設けられ、ホストコンピュータ３３１０およびＵＥ３３３０と通信することを可能にするハードウェア３３２５を有する基地局３３２０を有する。ハードウェア３３２５は、通信システム３３００の別の通信装置のインターフェースとの有線または無線コネクションをセットアップおよび維持するための通信インターフェース３３２６、ならびに基地局３３２０によってサービスされるカバレッジエリア（図１２には示されていない）に位置するＵＥ３３３０との少なくとも１つの無線コネクション３３７０をセットアップおよび維持するための無線インターフェース３３２７を含むことができる。通信インターフェース３３２６は、ホストコンピュータ３３１０へのコネクション３３６０を容易にするように構成されてもよい。コネクション３３６０は、直接的であってもよく、電気通信システムのコアネットワーク（図１２には示されていない）を通過してもよく、および／または電気通信システムの外部の１つ以上の中間ネットワークを通過してもよい。図示の実施形態では、基地局３３２０のハードウェア３３２５は、命令を実行するように適合した１つまたは複数のプログラマブルプロセッサ、特定用途集積回路、フィールドプログラマブルゲートアレイ、またはこれらの組み合わせ（図示せず）を含みうるプロセッシング回路３３２８をさらに有する。さらに、基地局３３２０は、内部に記憶されるか、または外部コネクションを介してアクセス可能なソフトウェア３３２１を有する。
【０１２３】
通信システム３３００は、すでに言及されたＵＥ３３３０をさらに有する。そのハードウェア３３３５は、ＵＥ３３３０が現在位置しているカバレッジエリアにサービスを提供する基地局との無線コネクション３３７０をセットアップして、維持するように構成された無線インターフェース３３３７を有してもよい。ＵＥ３３３０のハードウェア３３３５は、命令を実行するように適合された１つまたは複数のプログラマブルプロセッサ、特定用途集積回路、フィールドプログラマブルゲートアレイ、またはこれらの組合せ（図示せず）を備えてもよいプロセッシング回路３３３８をさらに有する。ＵＥ３３３０はさらにソフトウェア３３３１を有し、これらはＵＥ３３３０内に記憶されるかアクセス可能であり、またプロセッシング回路３３３８によって実行可能である。ソフトウェア３３３１は、クライアントアプリケーション３３３２を有する。クライアントアプリケーション３３３２は、ホストコンピュータ３３１０のサポートを受けて、ＵＥ３３３０を介して人間または非人間のユーザにサービスを提供するように動作可能である。ホストコンピュータ３３１０において、実行中のホストアプリケーション３３１２は、ＵＥ３３３０で終端されるＯＴＴコネクション３３５０およびホストコンピュータ３３１０を介して実行中のクライアントアプリケーション３３３２と通信してもよい。ユーザにサービスを提供する際に、クライアントアプリケーション３３３２は、ホストアプリケーション３３１２から要求データを受信し、要求データに応答してユーザデータを提供してもよい。ＯＴＴコネクション３３５０は、リクエストデータとユーザデータの両方を伝送してもよい。クライアントアプリケーション３３３２は、ユーザと対話して、ユーザが提供するユーザデータを生成してもよい。
【０１２４】
図１２に示されるホストコンピュータ３３１０、基地局３３２０、およびＵＥ３３３０は、それぞれ、ホストコンピュータ３２３０、基地局３２１２ａ、３２１２ｂ、３２１２ｃのうちの１つ、および図１１のＵＥ３２９１、３２９２のうちの１つと同一であり得ることに留意されたい。すなわち、これらのエンティティの内部動作は、図１２に示されるようなものであってもよいし、これとは別に、周囲のネットワークトポロジは、図１１のものであってもよい。
【０１２５】
図１２では、基地局３３２０を介したホストコンピュータ３３１０とユーザ装置３３３０との間の通信を示すために、ＯＴＴコネクション３３５０が抽象的に描かれているが、任意の中間デバイスおよびこれらのデバイスを介したメッセージの正確なルーティングについては明示的に言及していない。ネットワークインフラストラクチャは、ルーティングを決定してもよく、ルーティングは、ＵＥ３３３０から、またはホストコンピュータ３３１０を運用するサービスプロバイダから、あるいはその両方から隠すように構成されてもよい。ＯＴＴコネクション３３５０がアクティブな間、ネットワークインフラストラクチャは、（たとえば、ロードバランシングの考慮またはネットワークの再構成に基づいて）ルーティングを動的に変更する決定をさらに行うことができる。
【０１２６】
ＵＥ３３３０と基地局３３２０との間の無線コネクション３３７０は、本開示全体を通じて説明される実施形態の教示に従う。様々な実施形態のうちの１つまたは複数は、無線コネクション３３７０が最後の区間を形成するＯＴＴコネクション３３５０を使用して、ＵＥ３３３０に提供されるＯＴＴサービスの性能を改善する。より正確には、これらの実施形態の教示は、状態間の遷移の数が低減され得るので、送信を改善し得、それによって、低減されたユーザ待ち時間、およびより良好な応答性などの利点を提供する。
【０１２７】
１つまたは複数の実施形態により改善されるであろう、データレート、遅延時間、および他の要因を監視する目的で、測定手順を提供することができる。さらに、測定結果のばらつきに応じて、ホストコンピュータ３３１０とＵＥ３３３０との間でＯＴＴコネクション３３５０を再構成するための任意のネットワーク機能が設けられてもよい。ＯＴＴコネクション３３５０を再構成するための測定手順および／またはネットワーク機能は、ホストコンピュータ３３１０のソフトウェア３３１１、またはＵＥ３３３０のソフトウェア３３３１、またはその両方に実装されてもよい。実施形態によれば、センサ（図示せず）は、ＯＴＴコネクション３３５０が通過する通信デバイスに、またはそれに関連して配備されてもよく、センサは、上記で例示された監視量の値を供給することによって、またはソフトウェア３３１１、３３３１が監視量を演算または推定することを可能にする他の物理量の値を供給することによって、測定手順に関与してもよい。ＯＴＴコネクション３３５０の再構成は、メッセージフォーマット、再送信設定、好ましいルーティングなどを含むことができ、再構成は、基地局３３２０に影響を及ぼす必要はなく、基地局３３２０には知られていないか、または知覚できないことがある。このような手順および機能は、当技術分野で知られているか、実践されているものであってもよい。ある実施形態によれば、測定は、スループット、伝搬時間、遅延時間などのホストコンピュータ３３１０による測定を容易にする独自のＵＥシグナリングを有してもよい。測定は、ソフトウェア３３１１、３３３１が、伝搬時間、誤差等を監視している間に、ＯＴＴコネクション３３５０を使用して、メッセージ、特に空または「ダミー」メッセージを送信させることによって、実行されてもよい。
【０１２８】
図１３は、一実施形態による、通信システムにおいて実施される方法を示すフローチャートである。通信システムは、図１１および図１２に関連して説明されたホストコンピュータ、基地局およびＵＥを含む。本開示を簡単にするために、図１３を参照する図面のみがこのセクションに含まれる。方法の第１のステップ３４１０において、ホストコンピュータはユーザデータを提供する。第１のステップ３４１０のオプションのサブステップ３４１１において、ホストコンピュータはホストアプリケーションを実行することによってユーザデータを提供する。第２のステップ３４２０において、ホストコンピュータは、ユーザデータをＵＥに搬送する送信を開始する。オプションの第３のステップ３４３０において、基地局は、本開示全体にわたって説明される実施形態の教示にしたがって、ホストコンピュータが開始した送信において搬送されたユーザデータをＵＥに送信する。オプションの第４のステップ３４４０において、ＵＥは、ホストコンピュータによって実行されるホストアプリケーションに関連するクライアントアプリケーションを実行する。
【０１２９】
図１４は、一実施形態による、通信システムにおいて実施される方法を示すフローチャートである。通信システムは、図１１および図１２に関連して説明したホストコンピュータ、基地局およびＵＥを含む。本開示を簡単にするために、図１４を参照する図面のみがこのセクションに含まれる。方法の第１のステップ３５１０において、ホストコンピュータはユーザデータを提供する。任意のサブステップ（図示せず）では、ホストコンピュータは、ホストアプリケーションを実行することによってユーザデータを提供する。第２のステップ３５２０において、ホストコンピュータは、ユーザデータをＵＥに搬送する送信を開始する。送信された信号は、本開示全体にわたって説明される実施形態の教示にしたがって、基地局を介して渡されてもよい。オプションの第３のステップ３５３０において、ＵＥは、送信信号により搬送されるユーザデータを受信する。
【０１３０】
図１５は、一実施形態による、通信システムにおいて実施される方法を示すフローチャートである。通信システムは、図１１および図１２に関連して説明されたホストコンピュータ、基地局およびＵＥを含む。本開示を簡単にするために、図１５に対する図面参照のみがこのセクションに含まれる。本方法の任意の第１のステップ３６１０では、ＵＥは、ホストコンピュータによって提供される入力データを受信する。さらに、または代替的に、オプションの第２のステップ３６２０において、ＵＥは、ユーザデータを提供する。第２のステップ３６２０の任意のサブステップ３６２１において、ＵＥは、クライアントアプリケーションを実行することによって、ユーザデータを提供する。第１のステップ３６１０のさらなるオプションのサブステップ３６１１において、ＵＥは、ホストコンピュータによって提供されて受け付けられ入力データに応答してユーザデータを提供するクライアントアプリケーションを実行する。ユーザデータを提供する際に、実行されたクライアントアプリケーションは、ユーザから受け取ったユーザ入力をさらに考慮してもよい。ユーザデータが提供された特定の方法にかかわらず、ＵＥは、オプションの第３のサブステップ３６３０において、ユーザデータのホストコンピュータへの送信を開始する。本方法の第４のステップ３６４０において、ホストコンピュータは、本開示全体にわたって説明される実施形態の教示にしたがって、ＵＥから送信されたユーザデータを受信する。
【０１３１】
図１６は、一実施形態による、通信システムにおいて実施される方法を示すフローチャートである。通信システムは、図１１および図１２に関連して説明したホストコンピュータ、基地局およびＵＥを含む。本開示を簡単にするために、図１６に対する図面参照のみがこのセクションに含まれる。方法のオプションの第１のステップ３７１０で、本開示全体にわたって説明される実施形態の教示にしたがって、基地局は、ＵＥからユーザデータを受信する。オプションの第２のステップ３７２０で、基地局は、受信したユーザデータのホストコンピュータへの送信を開始する。第３のステップ３７３０で、ホストコンピュータは、基地局によって開始された送信で搬送されるユーザデータを受信する。
【０１３２】
前述の説明および添付の図面は、本明細書で教示される方法および装置の非限定的な例を表すことを理解されるであろう。したがって、本明細書で教示される装置および技法は、前述の説明および添付の図面によって限定されない。代わりに、本明細書の実施形態は、以下の特許請求の範囲およびそれらの法的均等物によってのみ限定される。
【０１３３】
さらなる実施形態
グループＡの実施形態
１．  ページングポリシーの差別化（ＰＰＤ）のために無線アクセスネットワーク内の無線ネットワークノードによって実行される方法であって、前記方法は、
−  コアネットワークから、無線デバイスに関連付けられたダウンリンク（ＤＬ）プロトコルデータユニット（ＰＤＵ）を受信することであって、ここで、前記ＤＬ ＰＤＵはサービス品質（ＱｏＳ）フローに含まれており、前記ＤＬ ＰＤＵはそれぞれのサービスから発信され、前記ＤＬ ＰＤＵはそれぞれのサービスに関連付けられたページングポリシーインジケータ（ＰＰＩ）を含む、ことと、
−  前記それぞれのサービスに関連付けられた前記ＰＰＩに従って前記無線デバイスをページングすることと、を有する。
【０１３４】
たとえば、前記ＤＬ ＰＤＵは、サービス品質（ＱｏＳ）フローで構成され、前記ＱｏＳフローはＤＬ ＰＤＵを含み、各ＤＬ ＰＤＵはそれぞれのサービスから発信され、前記ＱｏＳフローに含まれるＤＬ ＰＤＵは前記それぞれのサービスに関連するページングポリシーインジケータ（ＰＰＩ）を含む。
【０１３５】
２．  実施形態１の方法であって、前記方法は、
−  たとえば、前記無線ネットワークノードのセントラルユニットユーザプレーン（ＣＵ−ＵＰ）によって前記ＰＰＩを抽出することと、
−  たとえば、前記無線ネットワークノードのセントラル ユニット制御プレーン（ＣＵ−ＣＰ）に前記ＰＰＩを通知することと、ここで、前記通知することは、たとえば、前記ＣＵ−ＵＰによって実行され、
−  たとえば、前記ＣＵ−ＣＰによって、前記ページングをトリガすることと、のうちの１つ以上を有する。
【０１３６】
３．  実施形態２の方法であって、前記方法は、さらに、
−  Ｅ１インターフェースを介してＤＬデータ通知メッセージを用いて前記ＰＰＩを、たとえば、前記ＣＵ−ＣＰに通知することを有し、当該通知することは、たとえば、前記ＣＵ−ＵＰにより実行される。
【０１３７】
４．前記実施形態のいずれかの方法であって、前記方法は、さらに、
−たとえば、無線ネットワークノードのセントラルユニットユーザプレーン（ＣＵ−ＵＰ）によって、たとえば、前記コアネットワーク内のユーザプレーン機能（ＵＰＦ）から、たとえば、新世代ユーザプレーン（ＮＧ−Ｕ）インターフェースを介して、前記ＤＬ ＰＤＵを受信すること、を有する。
【０１３８】
グループＢの実施形態
５．  ページングポリシーの差別化（ＰＰＤ）のための、コアネットワークにおけるユーザプレーン機能（ＵＰＦ）によって実行される方法であって、前記方法は、
−  無線アクセスネットワーク内にある無線ネットワークノードへ、無線デバイスに関連付けられたダウンリンク（ＤＬ）プロトコルデータユニット（ＰＤＵ）を送信することを有し、ここで、前記ＤＬ ＰＤＵはサービス品質（ＱｏＳ）フローに含まれており、前記ＤＬ ＰＤＵはそれぞれのサービスから発信され、前記ＤＬ ＰＤＵは前記それぞれのサービスに関連付けられたページングポリシーインジケータ（ＰＰＩ）を含む。
【０１３９】
６．  実施形態５に記載の方法であって、前記方法は、さらに、
−  新世代ユーザプレーン（ＮＧ−Ｕ）インターフェースを介して、前記無線ネットワークノードのセントラルユニットユーザプレーン（ＣＵ−ＵＰ）に前記ＤＬ ＰＤＵを送信すること、を有する。
【０１４０】
グループＣの実施形態
７．  ページングポリシーの差別化（ＰＰＤ）のための、無線アクセスネットワーク内の無線ネットワークノードであって、前記無線ネットワークノードは、
−  コアネットワークから、無線デバイスに関連付けられているダウンリンク（ＤＬ）プロトコルデータユニット（ＰＤＵ）を受信し、ここで、前記ＤＬ ＰＤＵはサービス品質（ＱｏＳ）フローに含まれており、前記ＤＬ ＰＤＵはそれぞれのサービスから発信され、前記ＤＬ ＰＤＵは前記それぞれのサービスに関連付けられたページングポリシーインジケータ（ＰＰＩ）を含むものであり、
−  前記それぞれのサービスに関連付けられた前記ＰＰＩに従って前記無線デバイスのページングを実行する、ように構成されている。
【０１４１】
８．  実施形態７の無線ネットワークノードであって、前記無線ネットワークノードはさらに、
−  たとえば、前記無線ネットワークノードのセントラルユニットユーザプレーン（ＣＵ−ＵＰ）によって、前記ＰＰＩを抽出し、
−  たとえば、前記無線ネットワークノードのセントラルユニット制御プレーン（ＣＵ−ＣＰ）に前記ＰＰＩを通知し、当該通知は、たとえば、前記ＣＵ−ＵＰによって実行され、
−  たとえば、前記ＣＵ−ＣＰによって、前記ページングをトリガする、ように構成されている。
【０１４２】
９．  実施形態８の無線ネットワークノードであって、前記無線ネットワークノードは、さらに、
−  Ｅ１インターフェースを介してＤＬデータ通知メッセージを用いて前記ＰＰＩを前記ＣＵ−ＣＰへ通知するように構成されており、前記通知することは、たとえば前記ＣＵ−ＵＰにより実行される。
【０１４３】
１０．  実施形態７−９のいずれか１つの無線ネットワークノードであって、前記無線ネットワークノードは、さらに、
−  たとえば、前記無線ネットワークノードのセントラルユニットユーザプレーン（ＣＵ−ＵＰ）によって、たとえば、コアネットワーク内のユーザプレーン機能（ＵＰＦ）から、たとえば、新世代ユーザプレーン（ＮＧ−Ｕ）インターフェースを介して、前記ＤＬ ＰＤＵを受信するように構成されている。
【０１４４】
グループＤの実施形態
１１．  ページングポリシーの差別化（ＰＰＤ）のための、コアネットワークにおけるユーザプレーン機能（ＵＰＦ）であって、前記ＵＰＦは、
−  無線デバイスに関連付けられているダウンリンク（ＤＬ）プロトコルデータユニット（ＰＤＵ）を無線アクセスネットワーク内にある無線ネットワークノードに送信するように構成されており、前記ＤＬ ＰＤＵはサービス品質（ＱｏＳ）フローに含まれており、前記ＤＬ ＰＤＵはそれぞれのサービスから発信され、前記ＤＬ ＰＤＵは前記それぞれのサービスに関連付けられたページングポリシーインジケータ（ＰＰＩ）を含む。
【０１４５】
１２．  実施の形態１１のＵＰＦであって、前記ＵＰＦは、さらに、
−  前記ＤＬ ＰＤＵを、新世代ユーザプレーン（ＮＧ−Ｕ）インターフェースを介して、前記無線ネットワークノードのセントラルユニットユーザプレーン（ＣＵ−ＵＰ）に送信するように構成されている。
【０１４６】
グループＥの実施形態
１３．  コンピュータプログラムプロダクトであって、少なくとも１つのプロセッサ上で実行されると、前記少なくとも１つのプロセッサに、前記無線ネットワークノードによって実行されるよう、グループＡの実施形態のいずれかにおけるステップのいずれかを実行させるか、または、前記ＵＰＦによって実行されるよう、グループＢの実施形態のいずれかにおけるステップのいずれかを実行させる命令を含む。
【０１４７】
１４．  コンピュータ可読記憶媒体であって、少なくとも１つのプロセッサ上で実行されると、少なくとも１つのプロセッサに、前記無線ネットワークノードによって実行されるよう、グループＡの実施形態のいずれかにおけるステップのいずれかを実行させるか、または、前記ＵＰＦによって実行されるよう、グループＢの実施形態のいずれかにおけるステップのいずれかを実行させる命令を含むコンピュータプログラムプロダクトを記憶している。
【０１４８】
１５．  プロセッシング回路を含む無線ネットワークノードであって、当該プロセッシング回路は、
−  コアネットワークから、無線デバイスに関連付けられているダウンリンク（ＤＬ）プロトコルデータユニット（ＰＤＵ）を受信し、ここで前記ＤＬ ＰＤＵはサービス品質（ＱｏＳ）フローに含まれており、前記ＤＬ ＰＤＵはそれぞれのサービスから発信され、前記ＤＬ ＰＤＵは前記それぞれのサービスに関連付けられたページングポリシーインジケータ（ＰＰＩ）を含み、
−  前記それぞれのサービスに関連付けられた前記ＰＰＩに従って前記無線デバイスのページングを実行する、ように構成されている。
【０１４９】
１６．  コアネットワーク内のユーザプレーン機能（ＵＰＦ）であって、プロセッシング回路を含み、当該プロセッシング回路は、
−  無線デバイスに関連付けられたダウンリンク（ＤＬ）プロトコルデータユニット（ＰＤＵ）を無線アクセスネットワーク内にある無線ネットワークノードへ送信するように構成されており、前記ＤＬ ＰＤＵはサービス品質（ＱｏＳ）フローに含まれており、前記ＤＬ ＰＤＵはそれぞれのサービスから発信され、前記ＤＬ ＰＤＵは前記それぞれのサービスに関連付けられたページングポリシーインジケータ（ＰＰＩ）を含む。
【０１５０】
番号付きの例示的な実施形態
ＵＳ１．  ページングポリシーの差別化（ＰＰＤ）のための無線ネットワークノードであって、前記無線ネットワークノードは、前記無線アクセスネットワークに含まれるように構成されており、前記無線ネットワークノードは、プロセッサと、メモリとを含み、前記メモリは、前記プロセッサによって実行可能な命令を含み、これにより、前記無線ネットワークノードは、
−  コアネットワークから、無線デバイスに関連するダウンリンク（ＤＬ）プロトコルデータユニット（ＰＤＵ）を受信し、ここで、前記ＤＬ ＰＤＵはサービス品質（ＱｏＳ）フローに含まれており、前記ＤＬ ＰＤＵはそれぞれのサービスから発信され、前記ＤＬ ＰＤＵは前記それぞれのサービスに関連するページングポリシーインジケータ（ＰＰＩ）を含むものであり、
−  前記無線ネットワークノードのセントラルユニットユーザプレーン（ＣＵ−ＵＰ）によって前記ＰＰＩを抽出し、
−  前記ＣＵ−ＵＰにより、前記無線ネットワークノードのセントラルユニット制御プレーン（ＣＵ−ＣＰ）に前記ＰＰＩを通知し、
−  前記ＣＵ−ＣＰにより、前記無線デバイスのページングをトリガし、
−  前記それぞれのサービスに関連付けられた前記ＰＰＩに従って前記無線デバイスのページングを実行する、ように動作する。
【０１５１】
ＵＳ２．  ＵＳ１の無線ネットワークノードであって、さらに、
−  前記ＣＵ−ＣＰに対してＥ１インターフェースを経由してＤＬ データ通知メッセージを使用して前記ＰＰＩを通知する、ように動作可能であり、前記通知することは、前記ＣＵ−ＵＰによって実行される。
【０１５２】
ＵＳ３．  ＵＳ１またはＵＳ２の無線ネットワークノードであって、さらに、
−  前記無線ネットワークノードの前記ＣＵ−ＵＰによって、新世代ユーザプレーン（ＮＧ−Ｕ）インターフェースを介して、前記コアネットワークにおけるユーザプレーン機能（ＵＰＦ）から前記ＤＬ ＰＤＵを受信する、ように動作可能である。
【０１５３】
ＵＳ４．  ページングポリシーの差別化（ＰＰＤ）のためのユーザプレーン機能（ＵＰＦ）であって、前記ＵＰＦは、コアネットワークに含まれるように構成されており、前記ＵＰＦは、プロセッサとメモリとを含み、前記メモリは、前記プロセッサによって実行可能な命令を含み、これによって前記ＵＰＦは、
−  無線アクセスネットワーク内にある無線ネットワークノードへ、無線デバイスに関連付けられているダウンリンク（ＤＬ）プロトコルデータユニット（ＰＤＵ）を送信する、ように動作し、ここで、前記ＤＬ ＰＤＵはサービス品質（ＱｏＳ）フローに含まれており、前記ＤＬ ＰＤＵはそれぞれのサービスから発信されたものであり、前記ＤＬ ＰＤＵは前記それぞれのサービスに関連するページングポリシーインジケータ（ＰＰＩ）を含む。
【０１５４】
ＵＳ５．  ＵＳ４のＵＰＦであって、さらに、
−  前記ＤＬ ＰＤＵを、新世代ユーザプレーン（ＮＧ−Ｕ）インターフェースを介して、前記無線ネットワークノードのセントラルユニットユーザプレーン（ＣＵ−ＵＰ）に送信する、ように動作する。
【０１５５】
ＣＮ１．  ページングポリシーの差別化（ＰＰＤ）のための無線ネットワークノード（１２）であって、前記無線ネットワークノード（１２）は無線アクセスネットワーク（ＲＡＮ１）に含まれるように構成され、前記無線ネットワークノード（１２）は、
−  無線デバイス（１０）に関連付けられたダウンリンク（ＤＬ）プロトコルデータユニット（ＰＤＵ）をコアネットワーク（ＣＮ１）から受信するように構成された受信モジュール（９１０）であって、ここで、前記ＤＬ ＰＤＵはサービス品質（ＱｏＳ）フローに含まれており、前記ＤＬ ＰＤＵはそれぞれのサービスから発信されたのであり、前記ＤＬ ＰＤＵは前記それぞれのサービスに関連付けられたページングポリシーインジケータ（ＰＰＩ）を含む、受信モジュール（９１０）と、
−  前記無線ネットワークノード（１２）のセントラルユニットユーザプレーン（ＣＵ−ＵＰ）（１２ｂ）によって前記ＰＰＩを抽出するように構成された抽出モジュール（９１１）と、
−  前記無線ネットワークノード（１２）のセントラルユニット制御プレーン（ＣＵ−ＣＰ）（１２ａ）に前記ＰＰＩについて通知するように構成された通知モジュール（９１２）と、
−  前記無線デバイス（１０）のページングをトリガするように設定されたトリガモジュール（９１３）と、−  前記それぞれのサービスに関連付けられた前記ＰＰＩに従って、前記無線デバイス（１０）のページングを実行するページングモジュール（９１４）と、を有する。
【０１５６】
ＣＮ２．  ＣＮ１に記載の無線ネットワークノード（１２）であって、前記通知モジュール（９１２）は、さらに、
−  Ｅ１インターフェースを経由してＤＬ データ通知メッセージを使用して、前記ＰＰＩを前記ＣＵ−ＣＰ（１２ａ）に通知する、ように構成されている。
【０１５７】
ＣＮ３．  ＣＮ１またはＣＮ２のいずれか１つに記載の無線ネットワークノード（１２）であって、前記受信モジュール（９１０）は、さらに、
−  無線ネットワークノード（１２ｂ）のセントラルユニットユーザプレーン（ＣＵ−ＵＰ）（１２ｂ）によって、新世代ユーザプレーン（ＮＧ−Ｕ）インターフェースを介して、前記コアネットワーク（ＣＮ１）におけるユーザプレーン機能（ＵＰＦ）（１５）から前記ＤＬ ＰＤＵを受信する、ように構成されている。
【０１５８】
ＣＮ４．  ページングポリシーの差別化（ＰＰＤ）のための、コアネットワーク（ＣＮ１）におけるユーザプレーン機能（ＵＰＦ）（１５）であって、前記ＵＰＦ（１５）は、
−  無線アクセスネットワーク（ＲＡＮ１）内にある無線ネットワークノード（１２）に、無線デバイス（１０）に関連付けられたダウンリンク（ＤＬ）プロトコルデータユニット（ＰＤＵ）を送信するように構成された送信モジュール（１０１１）を有し、ここで、前記ＤＬ ＰＤＵは、サービス品質（ＱｏＳ）フローに含まれており、前記ＤＬ ＰＤＵは、それぞれのサービスから発信されたものであり、前記ＤＬ ＰＤＵは、前記それぞれのサービスに関連付けられたページングポリシーインジケータ（ＰＰＩ）を含む。
【０１５９】
ＣＮ５．  ＣＮ４に記載のＵＰＦ（１５）であって、前記送信モジュール（１０１１）は、さらに、
−  前記ＤＬ ＰＤＵを、新世代ユーザプレーン（ＮＧ−Ｕ）インターフェースを介して前記無線ネットワークノード（１２）のセントラルユニットユーザプレーン（ＣＵ−ＵＰ）（１２ｂ）に送信する、ように構成されている。
【図１】
2021528895.tif 000003
【図２】
2021528895.tif 000004
【図３ａ】
2021528895.tif 000005
【図３ｂ】
2021528895.tif 000006
【図４ａ】
2021528895.tif 000007
【図４ｂ】
2021528895.tif 000008
【図５】
2021528895.tif 000009
【図６】
2021528895.tif 000010
【図７】
2021528895.tif 000011
【図８】
2021528895.tif 000012
【図９】
2021528895.tif 000013
【図１０】
2021528895.tif 000014
【図１１】
2021528895.tif 000015
【図１２】
2021528895.tif 000016
【図１３】
2021528895.tif 000017
【図１４】
2021528895.tif 000018
【図１５】
2021528895.tif 000019
【図１６】
2021528895.tif 000020
【手続補正書】
【提出日】令和3年1月8日(2021.1.8)
【手続補正１】
【補正対象書類名】特許請求の範囲
【補正対象項目名】全文
【補正方法】変更
【補正の内容】
【特許請求の範囲】
【請求項１】
ページングポリシーの差別化（ＰＰＤ）のための、無線ネットワークノード（１２）によって実行される方法であって、前記無線ネットワークノード（１２）は無線アクセスネットワーク（ＲＡＮ１）に含まれ、前記方法は、
−  コアネットワーク（ＣＮ１）から、無線デバイス（１０）に関連付けられたダウンリンク（ＤＬ）プロトコルデータユニット（ＰＤＵ）を受信すること（Ｓ４１０）であって、前記ＤＬ ＰＤＵは、サービス品質（ＱｏＳ）フローに含まれ、前記ＤＬ ＰＤＵは、それぞれのサービスから発信されるものであり、前記ＤＬ ＰＤＵは、前記それぞれのサービスに関連付けられたページングポリシーインジケータ（ＰＰＩ）を含む、ことと、
−  前記無線ネットワークノード（１２）のセントラルユニットユーザプレーン（ＣＵ−ＵＰ）（１２ｂ）により前記ＰＰＩを抽出すること（Ｓ４２０）と、
−  前記ＣＵ−ＵＰ（１２ｂ）によって、前記無線ネットワークノード（１２）のセントラルユニット制御プレーン（ＣＵ−ＣＰ）（１２ａ）へ、前記ＰＰＩについて通知すること（Ｓ４３０）と、
−  前記ＣＵ−ＣＰ（１２ａ）を使用して、前記無線デバイス（１０）のページングをトリガすること（Ｓ４４０）と、
−  前記それぞれのサービスに関連する前記ＰＰＩに従って前記無線デバイス（１０）をページングすること（Ｓ４５０）と、を有する方法。
【請求項２】
請求項１記載の方法であって、さらに、
−  Ｅ１インターフェースを介して、ＤＬデータ通知メッセージを用いて、前記ＰＰＩを前記ＣＵ−ＣＰ（１２ａ）に通知すること、を有し、前記通知することは、前記ＣＵ−ＵＰ（１２ａ）によって実行される、方法。
【請求項３】
請求項１または２に記載の方法であって、さらに、
−  前記無線ネットワークノード（１２）の前記ＣＵ−ＵＰ（１２ｂ）によって、新世代ユーザプレーン（ＮＧ−Ｕ）インターフェースを介して、前記をコアネットワーク（ＣＮ１）におけるユーザプレーン機能（ＵＰＦ）（１５）から前記ＤＬ ＰＤＵを受信すること、を有する方法。
【請求項４】
ページングポリシーの差別化（ＰＰＤ）のための、ユーザプレーン機能（ＵＰＦ）（１５）によって実行される方法であって、前記方法は、
−  無線アクセスネットワーク（ＲＡＮ１）内にある無線ネットワークノード（１２）に、無線デバイス（１０）に関連付けられたダウンリンク（ＤＬ）プロトコルデータユニット（ＰＤＵ）を送信すること（Ｓ５２０）を有し、前記ＤＬ ＰＤＵはサービス品質（ＱｏＳ）フローに含まれており、前記ＤＬ ＰＤＵはそれぞれのサービスから発信されたものであり、前記ＤＬ ＰＤＵは前記それぞれのサービスに関連付けられたページングポリシーインジケータ（ＰＰＩ）を含む、方法。
【請求項５】
請求項４に記載の方法であって、さらに、
−  新世代ユーザプレーン（ＮＧ−Ｕ）インターフェースを介して、前記ＤＬ ＰＤＵを、前記無線ネットワークノード（１２）のセントラルユニットユーザプレーン（ＣＵ−ＵＰ）（１２ｂ）に送信すること、を有する方法。
【請求項６】
ページングポリシーの差別化（ＰＰＤ）のための無線ネットワークノード（１２）であって、前記無線ネットワークノード（１２）は、無線アクセスネットワーク（ＲＡＮ１）に含まれるように構成されており、
−  コアネットワーク（ＣＮ１）から、無線デバイス（１０）に関連付けられたダウンリンク（ＤＬ）プロトコルデータユニット（ＰＤＵ）を受信し、前記ＤＬ ＰＤＵはサービス品質（ＱｏＳ）フローに含まれ、前記ＤＬ ＰＤＵはそれぞれのサービスから発信されたものであり、前記ＤＬ ＰＤＵは前記それぞれのサービスに関連付けられたページングポリシーインジケータ（ＰＰＩ）を含み、
−  前記無線ネットワークノード（１２）のセントラルユニットユーザプレーン（ＣＵ−ＵＰ）（１２ｂ）によって前記ＰＰＩを抽出し、
−  前記ＣＵ−ＵＰ（１２ｂ）によって、前記無線ネットワークノード（１２）のセントラルユニット制御プレーン（ＣＵ−ＣＰ）（１２ａ）に、前記ＰＰＩを通知し、
−  前記ＣＵ−ＣＰ（１２ａ）を使用して、前記無線デバイス（１０）のページングをトリガし、
−  前記それぞれのサービスに関連付けられた前記ＰＰＩに従って前記無線デバイス（１０）のページングを実行する、ように構成されている、無線ネットワークノード。
【請求項７】
請求項６に記載の無線ネットワークノード（１２）であって、前記無線ネットワークノード（１２）は、さらに、
−  前記ＣＵ−ＵＰ（１２ｂ）によって、Ｅ１インターフェースを介して、ＤＬデータ通知メッセージを使用して、前記ＰＰＩを前記ＣＵ−ＣＰ（１２ａ）に通知する、ように構成されている、無線ネットワークノード。
【請求項８】
請求項６または７に記載の無線ネットワークノード（１２）であって、前記無線ネットワークノード（１２）は、さらに、
−  前記無線ネットワークノード（１２ｂ）のセントラルユニットユーザプレーン（ＣＵ−ＵＰ）（１２ｂ）によって、新世代ユーザプレーン（ＮＧ−Ｕ）インターフェースを介して、前記コアネットワーク（ＣＮ１）におけるユーザプレーン機能（ＵＰＦ）（１５）から前記ＤＬ ＰＤＵを受信する、ように構成されている、無線ネットワークノード。
【請求項９】
ページングポリシーの差別化（ＰＰＤ）のためのユーザプレーン機能（ＵＰＦ）（１５）であって、前記ＵＰＦ（１５）はコアネットワーク（ＣＮ１）に含まれるように構成され、前記ＵＰＦ（１５）は、
−  無線アクセスネットワーク（ＲＡＮ１）内にある無線ネットワークノード（１２）に、無線デバイス（１０）に関連付けられたダウンリンク（ＤＬ）プロトコルデータユニット（ＰＤＵ）を送信するように構成されており、前記ＤＬ ＰＤＵはサービス品質（ＱｏＳ）フローに含まれ、前記ＤＬ ＰＤＵはそれぞれのサービスから発信されるものであり、前記ＤＬ ＰＤＵは前記それぞれのサービスに関連付けられたページングポリシーインジケータ（ＰＰＩ）を含む、ＵＰＦ。
【請求項１０】
請求項９に記載のＵＰＦ（１５）であって、前記ＵＰＦ（１５）は、さらに、
−  前記ＤＬ ＰＤＵを、新世代ユーザプレーン（ＮＧ−Ｕ）インターフェースを介して、前記無線ネットワークノード（１２）のセントラルユニットユーザプレーン（ＣＵ−ＵＰ）（１２ｂ）に送信する、ように構成されている、ＵＰＦ。
【請求項１１】
少なくとも１つのプロセッサ上で実行されると、前記少なくとも１つのプロセッサに、無線ネットワークノード（１２）によって実行されるよう請求項１から３のいずれか一項に記載の方法を実行させるか、または、ＵＰＦ（１５）によって実行されるよう請求項４または５に記載の方法を実行させる命令を含むコンピュータプログラムプロダクト。
【請求項１２】
少なくとも１つのプロセッサ上で実行されたときに、前記少なくとも１つのプロセッサに、無線ネットワークノード（１２）によって実行されるよう請求項１から３のいずれか一項に記載の方法を実行させるか、または、ＵＰＦ（１５）によって実行されるよう請求項４または５に記載の方法を実行させる命令を含むコンピュータプログラムプロダクトを記憶したコンピュータ可読記憶媒体。
【請求項１３】
プロセッシング回路を含む無線ネットワークノード（１２）であって、前記プロセッシング回路は、
−  コアネットワーク（ＣＮ）から、無線デバイス（１０）に関連付けられたダウンリンク（ＤＬ）プロトコルデータユニット（ＰＤＵ）を受信し、前記ＤＬ ＰＤＵは、サービス品質（ＱｏＳ）フローに含まれており、前記ＤＬ ＰＤＵは、それぞれのサービスから発信されるものであり、前記ＤＬ ＰＤＵは、前記それぞれのサービスに関連するページングポリシーインジケータ（ＰＰＩ）を含み、
−  前記それぞれのサービスに関連する前記ＰＰＩに従って、前記無線デバイスのページングを実行する、ように構成されている、無線ネットワークノード（１２）。
【請求項１４】
プロセッシング回路を含むユーザプレーン機能（ＵＰＦ）であって、前記プロセッシング回路は、
−  無線アクセスネットワーク（ＲＡＮ１）にある無線ネットワークノード（１２）に、無線デバイス（１０）に関連付けられたダウンリンク（ＤＬ）プロトコルデータユニット（ＰＤＵ）を送信するように構成されており、前記ＤＬ ＰＤＵはサービス品質（ＱｏＳ）フローに含まれており、前記ＤＬ ＰＤＵはそれぞれのサービスから発信されるものであり、前記ＤＬ ＰＤＵは前記それぞれのサービスに関連付けられたページングポリシーインジケータ（ＰＰＩ）を含む、ＵＰＦ。
【国際調査報告】
2021528895.tif 000021
2021528895.tif 000022
2021528895.tif 000023
2021528895.tif 000024